(57)【要約】  本発明は、テープ・デバイス（１００）のテープ案内機構（１０）に関する。テープ・デバイス（１００）は、供給テープ（２２）および巻き取りテープ（２４）を有するテープ（２０）のストリップと、スプール部分（１３０）と、スプール部分（１３０）に配設された、供給テープ（２２）を巻くための供給スプール（４０）と、スプール部分（１３０）に配設された、巻き取りテープ（２４）を巻くための巻き取りスプール（５０）と、貼付器先端部（１２）と、テープが供給スプール（４０）から貼付器先端部（１２０）を周り巻き取りスプール（５０）まで移動するように、供給スプール（４０）および巻き取りスプール（５０）を回転させ得るスプール機構（７０）とを備える。
2013544668.tif 000002
【特許請求の範囲】
【請求項１】
供給テープ（２２）および巻き取りテープ（２４）を有するテープ（２０）のストリップと、
スプール部分（１３０）と、
前記スプール部分（１３０）に配設された、前記供給テープ（２２）を巻くための供給スプール（４０）と、
前記巻き取りテープ（２４）を巻くための巻き取りスプール（５０）であって、前記巻き取りスプール部分（１３０）は、前記スプール部分（１３０）に配設される、巻き取りスプール（５０）と、
貼付器先端部（１２０）であって、前記供給テープ（２２）は、前記供給スプール（４０）から前記貼付器先端部（１２０）まで移動し、前記巻き取りテープ（２４）は、前記貼付器先端部（１２０）から前記巻き取りスプール（５０）まで移動する、貼付器先端部（１２０）と、
前記テープ（２０）が前記供給スプール（４０）から前記貼付器先端部（１２０）を周り前記巻き取りスプール（５０）まで移動するように、前記供給スプール（４０）および前記巻き取りスプール（５０）を回転させ得るスプール機構（７０）と
を備える、テープ・デバイス（１００）であって、
前記テープ・デバイス（１００）は、前記テープ（２０）を案内するための、およびテープの弛みを防止するためのテープ案内機構（１０）をさらに備え、前記テープ案内機構（１０）は、
貼付器ヘッド（８０）を有する貼付部分（６０）であって、前記貼付部分（６０）は、単一平面（１４０）上に位置を占める実質的に平坦な形状で形成され、前記テープ（２０）は、前記単一平面（１４０）上において前記貼付部分（６０）の周囲を移動する、貼付部分（６０）と、
前記貼付部分（６０）の後方部分（８４）に形成される、前記供給テープ（２２）を通過させ得るスリット（１１０）と、
前記貼付器部分（６０）の前方端部（４１０）に対して実質的に連結される傾斜部（９０）であって、前記傾斜部（９０）は、前記貼付器部分（６０）の前記後方部分（８４）から前記スプール部分（１３０）まで下方に屈曲し、前記傾斜部（９０）により、前記スプール部分（１３０）は、前記貼付部分（６０）の前記単一平面（１４０）が前記スプール（４０）と（５０）との間の平面（１５０）と実質的に整列されるように、前記スプール（４０）および（５０）の位置を定める、傾斜部（９０）と
を備える、テープ・デバイス（１００）。
【請求項２】
前記テープ案内機構（１０）は、さらに、実質的にしっかりと張った態様で、前記テープ（２０）を案内し、前記テープ（２０）が前記供給スプール（４０）から前記貼付部分（６０）へ、前記単一平面（１４０）上において前記貼付部分（６０）に沿って前記貼付器先端部（１２０）の方向へ進み、前記スリット（１１０）を通り、前記貼付器先端部（１２０）の周囲を周り、前記単一平面（１４０）上において前記貼付部分（６０）に沿って前記巻き取りスプール（５０）の方向へ進み、前記傾斜部（９０）の上を通り、前記巻き取りスプール（５０）に戻るように移動するのを可能にするための、およびテープの弛みを防止するためのものである、請求項１に記載のテープ・デバイス（１００）。
【請求項３】
前記スリット（１１０）および前記貼付器ヘッド（８０）は、前記貼付器先端部（１２０）の方向に移動するように前記テープ（２０）を案内し、前記テープ（２０）が実質的に前記整列された平面（１４０）および（１５０）内において前記貼付部分（６０）に沿って移動することにより、前記テープ案内機構（１０）による案内が最適化される、請求項２に記載のテープ・デバイス（１００）。
【請求項４】
前記貼付部分（６０）は、実質的に長尺の平坦形状に形成され、前記貼付部分（６０）は、実質的にある長さおよびある厚さであり、前記傾斜部（９０）は、実質的に第１の角度（４４０）にて下方に屈曲し、前記傾斜部（９０）の前方エッジ（４１０）が、前記貼付部分（６０）の上のテープ移動経路（４３０）の長手方向軸（４６０）から第２の角度（４５０）を成し、前記傾斜部（９０）は、実質的に水平方向長さ（３４０）にわたって位置を占め、前記貼付部分（６０）の長さ、厚さ、および形状、ならびに、前記傾斜部（９０）の前記第１の角度（４４０）、前記第２の角度（４５０）、および前記水平方向長さ（３４０）は、前記テープ案内機構（１０）が前記テープ（２０）を案内し、かつテープの弛みを防止するのに十分なものである、請求項３に記載のテープ・デバイス（１００）。
【請求項５】
前記貼付部分（６０）は、実質的にある長さおよびある厚さであり、前記傾斜部（９０）は、実質的に第１の角度（４４０）にて下方に屈曲し、前記傾斜部（９０）の前記前方エッジ（４１０）は、前記貼付部分（６０）の上のテープ移動経路（４３０）の前記長手方向軸（４６０）から第２の角度（４５０）を成し、前記傾斜部（９０）は、実質的に水平方向長さ（３４０）にわたって位置を占め、前記貼付部分（６０）の長さ、厚さ、および形状、ならびに、前記傾斜部（９０）の前記第１の角度（４４０）、前記第２の角度（４５０）、および前記水平方向長さ（３４０）は、前記テープ（２０）が、実質的に平坦かつしっかりと張った態様で前記単一平面（１４０）内において前記貼付部分（６０）の周囲を移動するように、実質的に前記スプールの方向に前記テープ（２０）を牽引するのに十分なものである、請求項４に記載のテープ・デバイス（１００）。
【請求項６】
前記テープ案内機構（１０）は、前記供給スプール（４０）から前記貼付部分（６０）に沿って前記スリット（１１０）まで前記供給テープ（２２）を案内し、前記傾斜部（９０）から前記巻き取りスプール（５０）まで前記巻き取りテープ（２４）を案内するための、少なくとも１つの案内シャフト（１７０）をさらに備え、前記少なくとも１つの案内シャフト（１７０）は、前記傾斜部（９０）の上に、前記スプール（４０）および（５０）の回転軸に対して実質的に平行に形成される、請求項５に記載のテープ・デバイス（１００）。
【請求項７】
前記貼付器ヘッド（８０）、前記スリット（１１０）、および前記傾斜部（９０）が上に形成される、ベース（１８０）をさらに備える、請求項６に記載のテープ・デバイス（１００）。
【請求項８】
前記貼付部分（６０）は、前記貼付部分（６０）の長手方向の長さに沿って前記貼付部分（６０）の断面において左右に屈曲する貼付輪郭部（１９０）を備え、前記貼付輪郭部（１９０）は、前記貼付部分（６０）の上に前記テープ（２０）を案内するためのもの、前記貼付ヘッド（８０）に可撓性を与えるためのもの、およびこれらの機能の両方を実現するものからなる群より選択されるものである、請求項７に記載のテープ・デバイス（１００）。
【請求項９】
前記貼付器ヘッド（８０）は、少なくとも１つの切欠セクション（２１０）と、前記少なくとも１つの切欠セクション（２１０）を間に画定する複数の棘状部（２２０）と、前記切欠セクション（２１０）の端部間において前記棘状部（２２０）の間を連結する少なくとも１つのブリッジ（２３０）とをさらに備え、前記ブリッジ（２３０）は、前記貼付器ヘッド（８０）から上方へと実質的に突出し、前記ブリッジ（２３０）は、前記貼付器ヘッド（８０）の上に前記テープ（２０）をさらに案内するためのものである、請求項８に記載のテープ・デバイス（１００）。
【請求項１０】
前記貼付部分（６０）は、前記貼付部分（６０）の上に前記テープ（２０）をさらに案内するために、前記貼付部分（６０）に沿った前記テープ移動経路（４３０）に沿って形成されたテープ案内溝（２４０）を形成するテープ案内部材（６１０）および（６２０）をさらに備える、請求項９に記載のテープ・デバイス（１００）。
【請求項１１】
前記単一平面（１４０）は、実質的に平坦であると共に薄く、前記単一平面（１４０）は、実質的に水平平面上に位置し、前記スリット（１１０）および前記貼付器先端部（１２０）は、前記同一の単一平面（１４０）上において前記貼付部分（６０）の前記長手方向軸（４６０）に沿って整列される、請求項１０に記載のテープ・デバイス（１００）。
【請求項１２】
前記貼付部分（６０）は、実質的に２．５×１０−２ｍ〜３．５×１０−２ｍの範囲内の長さ、および実質的に５．０×１０−４ｍ〜３．０×１０−３ｍの範囲の厚さであり、前記傾斜部（９０）は、前記水平平面から実質的に３０°〜４８°の範囲内の第１の角度（４４０）にて下方に屈曲し、前記傾斜部（９０）の前記前方エッジ（４１０）は、前記貼付部分（６０）上のテープ移動経路（４３０）の前記長手方向軸（４６０）から２５°〜５５°の範囲内の第２の角度（４５０）を成し、前記傾斜部（９０）は、実質的に５．０×１０−３ｍ〜１．５×１０−２ｍの範囲内の前記水平方向長さ（３４０）にわたって位置を占める、請求項１１に記載のテープ・デバイス（１００）。
【請求項１３】
前記テープ・デバイス（１００）は、修正テープ・ディスペンサ・デバイスであり、前記テープ（２０）は、修正（３０）層が供給面（１６０）に装着された修正テープであり、前記供給面（１６０）は、前記テープ（２０）の貼付面（３７０）において前記貼付器ヘッド（８０）に沿って移動する際に、前記テープ（２０）の外方面（３８０）に位置し、前記修正層（３０）は、その外方面（３９０）が接着性を有し、それにより、前記層（３０）は、表面（３５０）に対して前記テープ（２０）を貼付する際に、前記層（３０）が接触する表面（３６０）へと剥離して付着し、前記貼付は、実質的に前記貼付器先端部（１２０）にて行われる、請求項１２に記載のテープ・デバイス（１００）。
【請求項１４】
前記修正テープ・ディスペンサ・デバイスは、水平型修正テープ・ディスペンサ・デバイスであり、前記スプール（４０）および（５０）の回転軸は、前記貼付器先端部（１２０）に対して垂直に設けられ、前記貼付部分（６０）の前記単一平面（１４０）は、前記スプール（４０）および（５０）の前記回転軸に対して垂直に位置を定められる、請求項１３に記載のテープ・デバイス（１００）。
【請求項１５】
前記貼付部分（６０）が前記傾斜部（９０）へと屈曲し、前記傾斜部（９０）が前記スプール部分（１３０）へと移行する位置における、前記ベース（１８０）の長手方向断面が、湾曲状形状構成（４９０）およびジグザグ構成（４８０）からなる群において選択される構成に倣い、前記貼付輪郭部（１９０）の前記長手方向断面が、湾曲状形状構成およびジグザグ構成（５８０）からなる群において選択される構成に倣う、請求項１４に記載のテープ・デバイス（１００）。
【請求項１６】
ベース（１８０）およびカバー（２６０）を備えるケースと、
前記ケースの内部に修正テープ・スプールを保持するための保持器（３１０）と、
表面上に修正テープ（３０）を搬送するための、先端部（１２０）を有する貼付器（８０）と、
前記ベース（１８０）および前記カバー（２６０）を連結するための複数の連結部（１６）と
を備え、
前記ベース（１８０）および前記貼付器（８０）が組み合わされて、前記修正テープ（３０）用の通路を与えるためのスリット（１１０）を前記ベース（１８０）と前記貼付器（８０）との間に有する単一体を形成する、表面上にテープ（２０）を配給するための修正テープ・ディスペンサ。
【請求項１７】
前記貼付器（８０）は、最低１．５ｋｇ〜最大５ｋｇの押圧力に耐えることが可能である、請求項１６に記載の表面上にテープを配給するための修正テープ・ディスペンサ。
【請求項１８】
前記ベース（１８０）および前記貼付器（８０）からなる前記単一体が、好ましくはポリマー材料の任意の群から作製される、請求項１６に記載の表面上にテープを配給するための修正テープ・ディスペンサ。
【請求項１９】
前記ベース（１１）および前記貼付器（１４）からなる前記単一体が、好ましくは展性材料から作製される、請求項１６に記載の表面上にテープを配給するための修正テープ・ディスペンサ。
【請求項２０】
前記ベース（１８０）および前記貼付器（８０）からなる前記単一体が、好ましくは弾性材料から作製される、請求項１９に記載の表面上にテープを配給するための修正テープ・ディスペンサ。
【請求項２１】
前記ベース（１８０）および前記貼付器（８０）からなる前記単一体が、好ましくは４０００ｐｓｉ〜１２０００ｐｓｉの範囲の引張強度を有する任意の材料から作製される、請求項２０に記載の表面上にテープを配給するための修正テープ・ディスペンサ。
【請求項２２】
修正デバイスであって、
前記修正デバイスを保持するようにユーザの手を案内するための湾曲状表面（２１００、２２００、２３００）を有する上方シェル（２６０）
を備え、
前記台座（１８０）は、好ましい様式で前記修正デバイスを保持するように前記ユーザの少なくとも１つの指を案内するための湾曲部（９０）を前記貼付器先端部（１２０）とスプール・シャフト（３１０）との間にさらに有する、修正デバイス。
【請求項２３】
前記台座（１００）は、単体として一体化されたスプール・シャフト（３１０）およびテープガイド（１３０）を有する、請求項２２に記載の修正デバイス。
【請求項２４】
前記台座（１８０）の前記湾曲部（９０）は、高位プラットフォーム（３００）をもたらすことにより、供給スプールと巻き取りスプールとの間の接触面が、前記貼付器先端部（１２０）の上にテープを案内するように前記貼付器先端部（１２０）と整列される、請求項２２または２３に記載の修正デバイス。
【請求項２５】
前記湾曲部（９０）の傾斜角度が、前記台座（１８０）のベース・プラットフォーム（１３０）から３０度〜４８度の間である、請求項２２〜２４のいずれか一項に記載の修正デバイス。
【請求項２６】
前記台座（１８０）の前記湾曲部（９０）により、前記テープは、前記貼付器先端部（１２０）において張った状態となることが可能となる、請求項２２〜２５のいずれか一項に記載の修正デバイス。
【請求項２７】
前記台座（１８０）の前記湾曲部（９０）により、デバイスの使用時に少なくとも１つの指を載置することが可能となる、請求項２２〜２６のいずれか一項に記載の修正デバイス。
【請求項２８】
前記台座（１８０）は、前記上方シェル（２６０）と組み合わされた場合にユーザの手の中に載置支持部を与えるための後方上方有角部（４１０）を有する、請求項２２〜２７のいずれか一項に記載の修正デバイス。
【請求項２９】
前記台座（１８０）の前記有角後部（４１０）は、先鋭エッジに晒される状態を低減して、安全な握りを実現する、請求項２８に記載の修正デバイス。
【請求項３０】
前記上方シェル（２６０）は、ユーザの手に保持握り部を与える形状を有する、請求項２２〜２９のいずれか一項に記載の修正デバイス。
【請求項３１】
前記上方シェル（２６０）は、左が利き手のユーザおよび右が利き手のユーザの両方に対して保持握り部を与える形状を有する、請求項２２〜３０のいずれか一項に記載の修正デバイス。
【請求項３２】
前記台座（１００）は、組み立てられた場合に前記上方シェル（２６０）内に嵌め込まれる、請求項２２〜３１のいずれか一項に記載の修正デバイス。
【請求項３３】
前記台座（１８０）と前記上方シェル（２６０）との間の分離ラインが、前記修正デバイスの底部に位置する、請求項２２〜３２のいずれか一項に記載の修正デバイス。
【請求項３４】
前記貼付器先端部（１２０）は、単体として前記台座（１８０）と一体化される、請求項２２〜３３のいずれか一項に記載の修正デバイス。
【請求項３５】
修正テープ供給リール（４０）および修正テープ巻き取りリール（５０）を収容するための本体（１１００）と、
前記本体（１１００）の前方端部に装着される貼付器ヘッド（８０）と、
前記修正テープ供給リール（４０）および前記修正テープ巻き取りリール（５０）を覆うための、前記本体（１１０）の上に固定されるカバー（２６０）と
を備える、表面上に修正テープ（２０）を貼付するための水平型修正テープ・ディスペンサ（１００）であって、
前記貼付器ヘッド（８０）が、
第１の垂直支持手段（２１０１）と、
第２の垂直支持手段（２２０１）と、
前記第１の垂直支持手段（２１０１）および前記第２の垂直支持手段（２２０１）の前方端部間に装着される案内手段（２３０１）と
を備える、水平型修正テープ・ディスペンサ（１００）。
【請求項３６】
前記２つの垂直支持手段（２１０１）および（２２０１）がそれぞれ、前記垂直支持手段（２１０１）および（２２０１）の側部表面に横方向に装着された、第１の曲げ角（２４１）および第２の曲げ角（２４２）を有する少なくとも１つの第１のリッジ（２４０１）と、第３の曲げ角（２５１）および第４の曲げ角（２５２）を有する少なくとも１つの第２のリッジ（２５０１）とを備える、請求項３５に記載の修正テープ・ディスペンサ（１００）。
【請求項３７】
前記第１のリッジ（２４０１）および前記第２のリッジ（２５０１）は、好ましくはＶ字形状である、請求項３６に記載の修正テープ・ディスペンサ（１００）。
【請求項３８】
前記貼付器ヘッド（８０）は、前記第１の垂直支持手段（２１０１）の下部表面に装着される第１の曲げリッジ（２６０１）を備える、請求項３５に記載の修正テープ・ディスペンサ（１００）。
【請求項３９】
前記貼付器ヘッド（８０）は、前記第２の垂直支持手段（２２０１）の下部表面に装着される第２の曲げリッジ（２７０１）を備える、請求項３５に記載の修正テープ・ディスペンサ（１００）。
【請求項４０】
前記第１の曲げ角（２４１）は、１０°〜１６°の範囲内である、請求項３７に記載の修正テープ・ディスペンサ（１００）。
【請求項４１】
前記第２の曲げ角（２４２）は、５８°〜６４°の範囲内である、請求項３７に記載の修正テープ・ディスペンサ（１００）。
【請求項４２】
前記第３の曲げ角（２５１）は、７°〜１３°の範囲内である、請求項３７に記載の修正テープ・ディスペンサ（１００）。
【請求項４３】
前記第４の曲げ角（２５２）は、５３°〜５９°の範囲内である、請求項３７に記載の修正テープ・ディスペンサ（１００）。
【請求項４４】
前記第１の曲げリッジ（２６０１）は、前記貼付器ヘッド（８０）の正中線Ａ−Ａに対して平行に垂直方向に配置される、請求項３８に記載の修正テープ・ディスペンサ（１００）。
【請求項４５】
前記第２の曲げリッジ（２７０１）は、前記貼付器ヘッド（８０）の正中線Ａ−Ａから５°のオフセット角を有して配置される、請求項３９に記載の修正テープ・ディスペンサ（１００）。
【請求項４６】
前記貼付器ヘッド（８０）は、前記第１の垂直支持手段（２１０１）および前記第２の垂直支持手段（２２０１）の前方端部と後方端部との間に装着される少なくとも１つの水平支持手段（２８０１）を備える、請求項３５に記載の修正テープ・ディスペンサ（１００）。
【請求項４７】
前記水平支持手段（２８０１）は、前記修正テープ（２０）を案内するための、前記水平支持手段（２８０１）の両端部において上方に延在する突出先端部を備える、請求項４６に記載の修正テープ・ディスペンサ（１００）。
【請求項４８】
前記案内手段（２３０１）は、前記修正テープ（２０）を案内することを目的とした１対の突出側部先端部（２３１）および（２３２）を上部表面および下部表面に有する表面に向かってテーパ状となる、請求項３５に記載の修正テープ・ディスペンサ（１００）。
【請求項４９】
前記水平支持手段（２８０１）は、組み立てられた場合に前記カバー（２６０）の内部に位置する、請求項３５に記載の修正テープ・ディスペンサ（１００）。
【請求項５０】
前記カバー（２６０）の前方端部が、作動中に前記貼付器ヘッド（８０）に対して過度の押圧力が印加されるのを防止するために、前記貼付器ヘッド（８０）を部分的に覆う、請求項３５に記載の修正テープ・ディスペンサ（１００）。
【請求項５１】
前記貼付器ヘッド（８０）は、好ましくは、前記貼付器ヘッド（８０）に対して作用する最低１．５ｋｇ〜最大５ｋｇの力に耐え得る、任意のタイプのポリマー材料から作製される、請求項３５に記載の修正テープ・ディスペンサ（１００）。
【発明の詳細な説明】
【技術分野】
【０００１】
本発明は、テープ・デバイスに関する。
【背景技術】
【０００２】
修正テープ・ディスペンサにおいては、テープのストリップが、正確な移動経路に沿って移動することが重要である。しかし、テープは、ループ状に移動する際に、修正テープ・ディスペンサ中のいくつかの湾曲状経路を移動することが必要となることが避けられない。
【０００３】
いくつかの湾曲状移動経路があることにより、テープが滑動するための十分な滑動経路を提供することが困難となる。通常は、滑動経路の殆どは、貼付器ヘッドのみに提供される。しかし、貼付器ヘッドに提供される滑動経路は、テープがその上を移動するのに依然として十分な長さではない。さらに、滑動経路の不足は、貼付器ヘッドとスプールとの間の移動経路の位置において、より明白である。このように滑動経路が不足する場合には、滑動経路は、テープに対して十分な案内をもたらすことができない。テープは、移動経路から容易に脱線し得る。またそれとは別に、滑動経路による支持が、テープに対して十分に与えられない。テープは、円滑に進むことが困難となる。さらに、テープは、容易に損傷を被り得る。
【０００４】
また、これらの湾曲状経路に沿って、テープが弛む傾向がしばしば見受けられる。特に、テープは、貼付器ヘッドにおいて弛む傾向がより強い。
【０００５】
このようなテープの弛みにより、スプールの回転軸は、貼付器ヘッド・エッジに対して平行ではなく垂直に設けられる設計となる傾向がある。しかし、水平型修正テープ・ディスペンサとして知られるかかる設計は、テープの弛みの問題を十分に解消するものではないことは明らかであるように思われる。そのため、テープが特に貼付器ヘッドの周囲において弛むことが、依然として見受けられる。
【０００６】
さらに、しばしば、貼付器ヘッドの形状は、テープ・ループを形成するスプールの形状に依拠する。あるいは、しばしば、貼付器ヘッドは、スプールからのテープの移動を容易化し得るような形状で形成される。そのため、横から見た場合に、貼付器は、しばしば三角形状または円形状となる。図１を参照すると、これらの形状が理由となり、隙間が、テープと滑動経路との間に形成される傾向となる。
【０００７】
滑動するテープの下方表面は、修正層が適切に貼付され得るように、すなわちテープが弛まぬように、貼付器ヘッドの周囲の滑動経路に接触した状態を常に維持することが重要である。また、これに鑑み、先行技術においては、突出部またはリッジが貼付器ヘッドの周囲の滑動経路の上部上に常に形成されるのが、しばしば見受けられる。これらの突出部は、丸み形状でまたはスロープとして常に形成される。
【０００８】
これらの突出部は、テープが滑動経路と常に接触状態に留まるように、テープを維持する。また、この結果、かかる突出部は、テープを「牽引する」、すなわちテープが貼付器ヘッドの周囲においてより張った状態になるようにするための機構のような役割も果たし得る。しかし、突出部は、テープの特定の区域のみにおいてテープと接触状態に留まるに過ぎないため、張り効果は、この区域の周囲のみで作用し得るに過ぎない。したがって、張り効果は、突出部とテープとの間の小さな接触区域にのみ限定される。そのため、これらの突出部は、貼付器ヘッドの周囲においてテープを十分に張ることができない。
【０００９】
また、弛んだテープが、滑落するか、または移動経路を辿ることがもはやできなくなる場合がしばしばある。そのため、案内機能部（側壁部、溝、およびリブ等々）が、テープを案内するために設けられる。先述の突出部が、特に貼付器ヘッドの周囲におけるテープの案内にも寄与するので、これらの突出部も案内機能部に含まれるべきである。
【００１０】
案内機能部が存在する場合でも、湾曲状経路においてはテープが弛む傾向があることにより、滑動経路の殆どの上部上をテープがしっかりと張った状態で滑動することは困難となる。また、これと同じ理由により、テープは、貼付器ヘッドにしっかりと張った状態で巻きつかない事態がしばしば起こる。これを鑑みると、テープが移動経路に沿ってしっかりと張った状態で移動しないことにより、またはテープが貼付器ヘッドの周囲においてしっかりと張った状態で巻きつかないことにより、案内機能部による移動経路に沿ったテープの案内が困難となることは明らかである。
【００１１】
さらに、かかる案内機能部は、通常は材料の無駄となる。その材料を消費することにより、コストがより高くなる。これらの案内機能部の細部が小さく形成される場合には、案内機能部の製造が非常に複雑になる。この結果、さらなる製造時間も必要となる。
【００１２】
その他に、これらの修正テープ・ディスペンサの殆どは、製造のために追加の材料、労力、組立、および他の影響を及ぼすコストを必要とする部品から構成される。したがって、部品の個数が削減された修正テープ・ディスペンサが必要である。これは、製造コスト全体に多大な影響をもたらす。
【００１３】
さらに、現行の修正デバイスは、好ましい様式で修正デバイスを保持するようにユーザの手を案内しないような形状設定となっている。これにより、ユーザは、不適切な保持によって、デバイスの長時間わたる使用による疲労や不快感を被る結果となる。
【００１４】
入手可能な修正デバイスの大半は、右手が利き手のユーザ向けに作られており、したがって左手が利き手のユーザは、修正デバイスを快適に保持することが困難となる。
【００１５】
現在入手可能な修正デバイスの構成により、多くは、本体の上部と下部との間に分離線を有することによって、落下時に容易に破損し得る。
【００１６】
人間工学的に形状設定され、テーブルから地面への落下、投擲、または地面への急落に対する耐久性を有する修正デバイスは、多くは存在しない。
【００１７】
典型的には、かかる修正テープ・ディスペンサは、修正テープ供給リールおよび巻き取りリールを収容するための主要本体と、修正テープを案内し、書き損じを覆うために表面上にこのテープを貼付するための貼付器ヘッドとから構成される。このタイプの修正ペンにおいては、修正テープ・ディスペンサは過度の押圧力によって破損する場合があり、貼付器ヘッドは、作動中にユーザにより過度の押圧力が印加されるのを防止するために、貼付器ヘッドおよび主要本体が相互に対して移動可能となるように、主要本体に対してしっかりと装着されてはいない。
【００１８】
このタイプの修正テープ・ディスペンサの一例が、特許文献１に記載されている。この先行技術においては、修正テープ・ディスペンサは、修正テープ供給リールおよび巻き取りリールを収容するハウジングと、前記ハウジングから長手方向に突出する貼付器ヘッドとから構成され、前記修正テープは、修正表面に対面する貼付器ヘッドのより低い長手方向側にて、供給リールから延出する。貼付器ヘッドは、少なくとも１つの案内ウィングから構成されており、この少なくとも１つの案内ウィングが、部分的に湾曲状であり、貼付器ヘッドの前方部分に装着される点を特徴とする。
【００１９】
この先行技術の主要な目的は、修正テープを適切に案内し、貼付器ヘッドの可撓性および構造強度を向上させることである。案内ウィング構造体が貼付器ヘッドの前方部分に装着されることにより、修正テープが貼付器ヘッドから逃げるのを防止し、ユーザにより印加される過度の押圧力を相殺することが可能となる。しかし、この先行技術の欠点は、貼付器ヘッドの構造が、複数の平面内に配置された貼付器ヘッドおよび案内ウィングなどの構成要素を必要とする、相当に複雑なものであるため、この貼付器ヘッドの製造にはより多数の構成要素が必要となる点である。したがって、この修正テープ・ディスペンサもまた、コスト、型、ツーリングおよび成形プロセスの複雑性、ならびに製造プロセスの複雑性を増大させる。
【先行技術文献】
【特許文献】
【００２０】
【特許文献１】欧州特許出願公開第２０７０８５６号明細書
【発明の概要】
【発明が解決しようとする課題】
【００２１】
したがって、構成要素の個数を削減し、構造の複雑性を軽減し、型の複雑性を軽減し、ツーリングおよび成形プロセスの複雑性を軽減し、製造の複雑性を軽減することが可能であり、より高い可撓性および構造強度を実現する、修正テープ・ディスペンサ用の貼付器ヘッドを提供することが必要である。
【００２２】
したがって、上記に鑑みて、上述の欠点を解消し得る修正テープ・ディスペンサ・デバイスが、非常に必要とされる。
【課題を解決するための手段】
【００２３】
本発明は、テープ・デバイスに関する。
【００２４】
したがって、供給テープおよび巻き取りテープを有するテープのストリップと、スプール部分と、スプール部分に配設された、供給テープを巻くための供給スプールと、スプール部分に配設された、巻き取りテープを巻くための巻き取りスプールと、貼付器先端部と、テープが供給スプールから貼付器先端部を周り巻き取りスプールまで移動するように、供給スプールおよび巻き取りスプールを回転させ得るスプール機構とを備える、修正テープ・デバイスが存在する。供給テープは、供給スプールから貼付器先端部まで移動し、巻き取りテープは、貼付器先端部から巻き取りスプールまで移動する。
【００２５】
テープ・デバイスは、テープ案内機構をさらに備える。このテープ案内機構は、テープを案内し、テープの弛みおよび脱落を防止するように構成される。テープ案内機構は、貼付器ヘッドを有する貼付部分と、貼付部分の後方部分に形成されるスリットと、貼付部分の後方端部に連結される傾斜部とを備える。
【００２６】
貼付部分は、単一平面上に位置を占める実質的に平坦な形状で形成される。テープは、実質的に単一平面上において貼付部分の周囲を移動する。スリットは、テープを案内し、供給テープを通過させ得るように構成される。傾斜部は、貼付器ヘッドの後方部分からスプール部分まで下方に屈曲するように構成される。傾斜部により、スプール部分は、貼付部分の単一平面がスプール間の平面と実質的に整列されるように、スプールの位置を定める。好ましくは、修正テープ・ディスペンサ・デバイスは、ケースのベースおよびカバーを連結するための複数の連結部をさらに備える。
【００２７】
好ましくは、修正テープ・ディスペンサ・デバイスは、２つの主要な部品、すなわち前記ケースのベースおよびカバーのみから、成形および製造される。前記修正テープ・ディスペンサのベースは、貼付器と組み合わされて、１つの本体を形成する。
【００２８】
本発明の１つの目的は、供給スプールから貼付部分へ、貼付部分に沿って貼付器先端部の方向へ、スリットを通り、貼付部分に沿って巻き取りスプールの方向へ、および巻き取りスプールに戻るように、テープを案内するテープ案内機構を提供することである。
【００２９】
また、本発明の１つの目的は、実質的に単一平面内において貼付部分に沿ってテープを移動させ得るテープ案内機構を提供することである。
【００３０】
また、本発明の１つの目的は、特に単一平面内において貼付部分の周囲にテープを案内するテープ案内機構を提供することである。
【００３１】
また、本発明の１つの目的は、貼付器ヘッドにテープを案内するためのスリットを提供することである。貼付器ヘッドおよびスリットは、スリットから貼付器先端部に移動するようにテープを案内するためのテープ移動経路／テープ案内部を形成する。
【００３２】
また、本発明の１つの目的は、テープを案内し、供給スプールから貼付部分まで、貼付部分に沿って、特に単一平面内において、貼付器先端部の方向に、スリットを通り、貼付部分に沿って、特に単一平面内において、巻き取りスプールの方向に、および巻き取りスプールに戻るようにテープを移動させ得る、傾斜部を提供することである。
【００３３】
さらに、本発明の１つの目的は、テープの弛みを防止するテープ案内機構を提供することである。テープ案内機構により、テープは、実質的にしっかりと張った態様で、供給スプールから貼付部分まで、貼付部分に沿って貼付器先端部の方向に進み、スリットを通り、貼付部分に沿って巻き取りスプールの方向に進み、巻き取りスプールに戻るように、移動することが可能となる。テープは、スリットの通過を含め、傾斜部の上および貼付部分の周囲において、十分な滑動経路上を滑動することが可能となる。
【００３４】
さらに、本発明の１つの目的は、十分な支持がテープに対して与えられるように、テープが滑動するための十分な滑動経路を提供することである。テープは、容易には損傷を被らない。また、滑動経路により、テープに対して十分な案内が与えられることによって、テープは、移動経路から脱落せず、潤滑に進むことが可能となる。
【００３５】
さらに、本発明の１つの目的は、貼付部分の単一平面がスプール間の平面と実質的に整列されるように、供給スプールおよび巻き取りスプールの位置を定めるベースを形成するための傾斜部を提供することである。これにより、テープが実質的にこの整列された単一平面内において貼付部分に沿って移動することによって、テープ案内機構による案内を最適化することが可能となる。
【００３６】
さらに、本発明の１つの目的は、製造材料の消費量、必要な製造コスト、かかる貼付器ヘッドの製造の複雑性、および前記貼付器ヘッドの製造時間を削減することが可能なテープ・デバイスを提供することである。
【００３７】
さらに、本発明の１つの目的は、部品の個数が削減された、表面上に修正テープを効果的に配給するための修正テープ・ディスペンサを提供することである。
【００３８】
本発明の目的は、使用によるユーザの疲労、不快感、および傷害を低減させる、左手使用および右手使用の両方に適した形状を有する人間工学的修正デバイスを提供することである。さらに、テーブルからの落下、投擲、地面への急落に対する反発性を有する構造を有するデバイスを提供することである。
【００３９】
本発明は、好ましい様式で修正デバイスを保持するようにユーザの手を案内するための湾曲状表面を有する上方シェルを備える修正デバイスである。さらに、台座は、好ましい態様で修正デバイスを保持するようにユーザの少なくとも１つの指を案内するための湾曲部を貼付器先端部とスプール・シャフトとの間に有する。スプール・シャフトおよびテープ・ガイドは、単体として台座と一体化されてもよい。
【００４０】
台座の湾曲部により、テープが貼付器先端部において張った状態となることが可能となり、デバイスの使用時に少なくとも１つの指に対して載置部を提供する、修正デバイス。
【００４１】
台座が、上方シェルと組み合わされた場合にユーザの手の中に載置支持部を与えるための後方上方有角部を有する、有角後部を有する修正デバイス。
【００４２】
ユーザの手に保持握り部を与える形状を有し得る上方シェルを有する修正デバイス。上方シェルは、左が利き手のユーザおよび右が利き手のユーザの両方に対して保持握り部を与える形状を有する。
【００４３】
修正デバイスの台座は、組み立てられた場合に上方シェル内に嵌め込まれ得ることにより、修正デバイスの底部の台座と上方シェルとの間の分離ラインが移動する。さらに貼付器先端部が、単体として台座と一体化される。
【００４４】
本発明の目的は、構成要素の個数を削減し、構造の複雑性を軽減し、型の複雑性を軽減し、ツーリングおよび成形プロセスの複雑性を軽減し、製造の複雑性を軽減する水平型修正テープ・ディスペンサを提供することである。また、構成要素の個数が削減され構造の複雑性が軽減された水平型修正テープ・ディスペンサは、可撓性および構造強度を依然として維持することが可能である。
【００４５】
本発明の一実施形態においては、または上記の主要な実施形態と同一の実施形態においても、以下において説明する水平型修正テープ・ディスペンサは、貼付器ヘッドが主要本体に対して着脱自在に装着される単体型修正テープ・ディスペンサ、および貼付器ヘッドが主要本体に対して永続的に装着される複合型修正テープ・ディスペンサなどの、任意の種類の修正テープ・ディスペンサを備える。本発明の修正テープ・ディスペンサは、修正テープ供給リールおよび修正テープ巻き取りリールを収容するための本体と、修正テープ供給リールおよび修正テープ巻き取りリールを覆うために本体上に固定されたカバーと、修正テープを案内するために本体に装着された単一平面貼付器ヘッドとを備える。
【００４６】
本発明の別の実施形態においては、または上記の主要な実施形態と同一の実施形態においても、好ましくは、単一平面貼付器ヘッドは、本体に対して永続的に装着されるが、それに限定されない。
【００４７】
本発明のさらに別の実施形態においては、または上記の主要な実施形態と同一の実施形態においても、単一平面貼付器ヘッドは、貼付器ヘッドの側部表面に対して横方向に装着された２つのＶ字形状リッジを備える。さらに、貼付器ヘッドは、構造を強化するために下部表面に装着される２つの曲げリッジをさらに備える。
【００４８】
本発明のさらに別の実施形態においては、または上記の主要な実施形態と同一の実施形態においても、単一平面貼付器ヘッドは、２つの垂直支持手段と、前記垂直支持手段の前方部分に装着される水平案内手段とによって形成される。
【００４９】
上記の実施形態は、構成要素の個数を削減し、構造の複雑性を軽減し、型の複雑性を軽減し、成形およびツーリングの複雑性を軽減し、製造の複雑性を軽減し、より高い可撓性および構造強度を実現することが可能な、水平型修正テープ・ディスペンサを提供するため、有利である。
【００５０】
水平型修正テープ・ディスペンサは、ポリプロピレン、ポリアミド、または、貼付器ヘッドに対して所望の可撓性を与える限りにおいて任意の他の適切な材料から作製される。
【００５１】
本発明は、以下において貼付の図面内において完全に説明および図示され、特に添付の特許請求の範囲内において指摘される、いくつかの新規の特徴および部品の組合せから構成される。本発明の範囲から逸脱することなく、または本発明のいかなる利点も犠牲とすることなく、それらの詳細の様々な変更をなし得ることが理解されよう。
【００５２】
本発明の理解を容易にするために、好ましい実施形態を添付の図面に図示する。これらの実施形態を以下の説明との関連において精査することにより、本発明、その構成および作動、ならびにその利点の多くが、容易に理解および認識されよう。
【図面の簡単な説明】
【００５３】
【図１】テープと貼付器ヘッドとの間（滑動経路）に形成される傾向のある隙間を示す図である。
【図２】本発明の水平型修正テープ・ディスペンサ・デバイスの斜視図である。
【図３】本発明の水平型修正テープ・ディスペンサ・デバイスの上面図である。
【図４】本発明の水平型修正テープ・ディスペンサ・デバイスの底面図である。
【図５】テープを有さない水平型修正テープ・ディスペンサ・デバイスの斜視図である。
【図６】テープを有さない水平型修正テープ・ディスペンサ・デバイスを示す図である。
【図７】テープを有さない水平型修正テープ・ディスペンサ・デバイスの底面図である。
【図８】本発明の水平型修正テープ・ディスペンサ・デバイスの上部ケースの底面斜視図である。
【図９】本発明の水平型修正テープ・ディスペンサ・デバイスの分解斜視図である。
【図１０】本発明の水平型修正テープ・ディスペンサ・デバイスの分解右側面図である。
【図１１】スプール・フレームおよび芯部を有さない水平型修正テープ・ディスペンサ・デバイスの下部ケースの斜視図である。
【図１２】スプール・フレームおよび芯部を有さない水平型修正テープ・ディスペンサ・デバイスの下部ケースの上面図である。
【図１３】スプール・フレームおよび芯部を有する水平型修正テープ・ディスペンサ・デバイスの下部ケースの斜視図である。
【図１４】スプール・フレームおよび芯部を有する水平型修正テープ・ディスペンサ・デバイスの下部ケースの上面図である。
【図１５】スプール・フレームおよび芯部を有する水平型修正テープ・ディスペンサ・デバイスの下部ケースの左側面図である。
【図１６】テープを有さない水平型修正テープ・ディスペンサ・デバイスの下部ケースの底面図である。
【図１７】貼付部分が位置を占める単一平面と、供給スプールと巻き取りスプールとの間の平面とを示す図である。
【図１８】供給スプールおよび巻き取りスプールを有する水平型修正テープ・ディスペンサ・デバイスの下部ケースの斜視図である。
【図１９】供給スプールおよび巻き取りスプールを有する水平型修正テープ・ディスペンサ・デバイスの下部ケースの上面図である。
【図２０】供給スプールおよび巻き取りスプールを有する水平型修正テープ・ディスペンサ・デバイスの下部ケースの左側面図である。
【図２１】テープを有する水平型修正テープ・ディスペンサ・デバイスの下部ケースの底面図である。
【図２２】水平型修正テープ・ディスペンサが修正層を貼付するために使用されている様子を示す図である。
【図２３】貼付部分上のテープ移動経路の長手方向軸からある角度で曲がる傾斜部を示す図である。
【図２４】貼付部分の長手方向断面が採用し得るジグザグ構成を示す図である。
【図２５】下部ケースの長手方向断面が採用し得る、ジグザグ構成、湾曲状構成、および他の構成を示す図である。
【図２６】本発明のテープ案内部材を示す図である。
【図２７】本発明のテープ移動シーケンスを示す図である。
【図２８】好ましい実施形態の分解図である。
【図２９】本発明の上面図である。
【図３０】本発明の側面図である。
【図３１】修正テープ・ディスペンサ・デバイスの台座を示す図である。
【図３２】修正テープ・ディスペンサ・デバイスの本体構造全体を示す図である。
【図３３】修正テープ・ディスペンサ・デバイスの斜視図である。
【図３４】落下試験において使用した先行技術を示す図である。
【図３５】修正テープ・ディスペンサ・デバイスを保持するための例示的な配向を示す図である。
【図３６】本発明による水平型修正テープ・ディスペンサの斜視図である。
【図３７】本発明による水平型修正テープ・ディスペンサの正面図である。
【図３８】本発明によるカバーを有さない水平型修正テープ・ディスペンサの斜視図である。
【図３９】本発明によるカバーを有さない水平型修正テープ・ディスペンサの上面図である。
【図４０】本発明によるカバーを有さない水平型修正テープ・ディスペンサの右側面図である。
【図４１】本発明による第１のＶ字形状リッジの側面図である。
【図４２】本発明によるカバーを有さない水平型修正テープ・ディスペンサの左側面図である。
【図４３】本発明による第２のＶ字形状リッジの側面図である。
【図４４】本発明によるカバーを有さない水平型修正テープ・ディスペンサの底面図である。
【図４５】本発明による水平型修正テープ・ディスペンサの底面図である。
【発明を実施するための形態】
【００５４】
左側面図と右側面図との区別をさらに容易にするために、前記側面図は、水平型修正テープ・ディスペンサを、カバーがユーザに対面する状態において、垂直位置に保持したものを基準とする。
【００５５】
本発明は、テープ・デバイス（１００）のテープ案内機構（１０）に関する。以下において、テープ・デバイス（１００）およびテープ案内機構（１０）は、本発明の好ましい実施形態にしたがって、ならびに添付の説明および図面を参照することにより説明される。しかし、その説明を本発明の好ましい実施形態およびそれらの図面に限定する目的は、専ら本発明の解説を容易にするためであるに過ぎず、添付の特許請求の範囲から逸脱することなく様々な変形形態を当業者が案出し得ることが予期される点を理解されたい。
【００５６】
本発明の構成は、以下の説明に記述される実施形態に限定されない。
【００５７】
図面に示すように、本発明のテープ・デバイス（１００）が図示される。このテープ・デバイス（１００）は、修正テープ・ディスペンサ・デバイスである。特に、この修正テープ・ディスペンサ・デバイスは、水平型修正テープ・ディスペンサ・デバイスである。
【００５８】
図２〜図９を参照すると、上部ケース（２６０）および下部ケース（２７０）を備える本発明の水平型修正テープ・ディスペンサ・デバイス（１００）が図示される。下部ケース（２７０）は、ベース（１８０）を備える。上部ケース（２６０）および下部ケース（２７０）は、共に組み付けられることにより本デバイス（１００）用の本体またはハウジングを形成するように適合される。
【００５９】
図６の背面図を参照すると、有角後部（３５０）を備える下部ケース（２７０）が図示される。有角後部（３５０）は、図１０および図１５に図示するように、下部ケース（２７０）の後方部分が上方に引き起こされた部分である。有角後部（３５０）は、本修正テープ・ディスペンサ・デバイス（１００）のハウジングが、使用中にユーザの手のひらに適合するまたは載ることが可能となるように適合される。
【００６０】
図９、図１０、図１３、図１４、図１８、図１９、および図２０を参照すると、修正テープ・ディスペンサ・デバイス（１００）は、テープ（２０）のストリップ、スプール部分（１３０）、供給スプール（４０）、巻き取りスプール（５０）、貼付器先端部（１２０）、およびスプール機構（７０）をさらに備える。
【００６１】
テープ（２０）は、供給テープ（２２）および巻き取りテープ（２４）から構成される。供給テープ（２２）は、供給スプール（４０）から貼付器先端部（１２０）まで移動する。図１８を参照すると、テープ（２０）は、その供給面（１６０）に修正層（３０）が装着された修正テープである。図４および図１８を参照すると、供給面（１６０）は、テープ（２０）がその貼付面（３７０）において貼付器ヘッド（８０）に沿って移動する際に、テープ（２０）の外方面（３８０）に位置する。次に図４および図２２を参照すると、修正層（３０）は、その外方面３９０が接着性を有し、それにより、層（３０）は、ある部分の消去が必要な紙または任意の書類などである表面（３６０）に対してテープを添付する際に接触する表面（３６０）へと剥離して付着する。さらに図９、図１８、図１９、図２２、および図２７を参照すると、貼付は、実質的に貼付器先端部（１２０）において行われる。次いで、修正層（３０）がテープ（２０）の供給面（１６０）にもはや付着していない巻き取りテープ（２４）が、貼付器先端部（１２０）から巻き取りスプール（５０）へと移動する。
【００６２】
次に図９〜図１０、および図１７〜図２１を参照すると、供給スプール（４０）および巻き取りスプール（５０）は、スプール部分（１３０）に配設される。供給スプール（４０）は、芯部（２８０）から構成される。芯部２８０は、供給テープ（２２）を巻くように適合され、巻き取りスプール（５０）は、巻き取りテープ（２４）を巻きつけるように適合される。スプール機構（７０）は、供給スプール（４０）および巻き取りスプール（５０）が回転し得ることにより、テープ（２０）が供給スプール（４０）から貼付先端部（１２０）を周り巻き取りスプール（５０）まで移動することが可能となるように適合される。
【００６３】
さらに図９、図１０、図１３、図１４、図１８、図１９、および図２０を参照すると、スプール機構（７０）は、スプール・スピンドル（３１０）と、スプール・スピンドル（３１０）の上に回転自在に取り付けられたスプール・フレーム（２９０）とから構成される。
【００６４】
次に図９および図１７を参照すると、スプール・フレーム（２９０）は、障壁部（３３０）から構成される。障壁部（３３０）は、スプール・フレーム（２９０）の上部部分と下部部分とを区分する。スプール・フレーム（２９０）は、その上部部分においては保持構造部（３２０）から構成される。供給スプール（４０）の芯部（２８０）は、保持構造部（３２０）の上に取り付けられ、巻き取りスプール（５０）は、スプール・フレーム（２９０）の下部部分の上に取り付けられる。
【００６５】
次に図９、図１２、および図１７を参照すると、修正テープ・ディスペンサ・デバイス（１００）は、テープ案内機構（１０）をさらに備える。テープ案内機構（１０）は、テープ（２０）を案内し、テープの弛みを防止するように適合される。テープ案内機構（１０）は、以下においてさらに詳細に説明するように、貼付部分（６０）と、スリット（１１０）と、傾斜部（９０）とをさらに備える。
【００６６】
次に図９および図１７を参照すると、貼付器部分（６０）は、貼付器ヘッド（８０）を備える。図１５および図１９に示すように、貼付器先端部（１２０）は、貼付器ヘッド（８０）の第１の端部（８２）に配設される。貼付器先端部（１２０）は、スプール・シャフト（３１０）に対して実質的に垂直に構成される。
【００６７】
図９〜図１１、および図１７を参照すると、貼付部分（６０）、スリット（１１０）、および傾斜部（９０）は、ベース（１８０）の上に形成される。図９および図１７を参照すると、貼付部分（６０）は、貼付器先端部（１２０）から始まり、ベース（１８０）が後方端部４１０にて下方に傾斜し始める位置にて終端し、傾斜部（９０）は、貼付部分（６０）の後方端部４１０から始まり、スプール部分（１３０）が始まる位置にて終端する。次に図１０、図１５、図１７、および図２０を参照すると、貼付部分（６０）は、実質的に単一平面（１４０）に位置を占める実質的に長尺の平坦形状で形成される。この単一平面（１４０）は、実質的に平坦であると共に薄い。単一平面（１４０）は、実質的に水平平面上に位置する。再度図１７を参照すると、単一平面（１４０）は、スプール・シャフト（３１０）に対して垂直に位置を定められる。次に図９、図１０、図１５、および図１７を参照すると、傾斜部（９０）は、貼付部分（６０）の後方端部（４１０）からスプール部分（１３０）の前方端部（４２０）まで下方に屈曲する。傾斜部（９０）は、図１７に図示するように、実質的に水平方向長さ（３４０）にわたって位置を占める。
【００６８】
次に図９、図１１、図１２、図１４、図１６、図１７、および図１９を参照すると、スリット（１１０）が、貼付部分（６０）の後方部分（８４）に形成される。具体的には、図１９を参照すると、スリット（１１０）は、貼付器ヘッド（８０）の第２の端部（８６）に形成される。さらに図１４を参照すると、スリット（１１０）は、貼付器ヘッド（８０）の長手方向軸に沿って、貼付器先端部（１２０）と同一の単一平面（１４０）上に整列される。
【００６９】
次に図９および図１７〜図２１を参照すると、貼付部分（６０）は、テープ（２０）が実質的に単一平面（１４０）の上において貼付部分（６０）の周囲を移動するのを可能にし、テープ（２０）を案内するためのものである。さらに再度図４を参照すると、テープ（２０）の供給面（１６０）は、貼付器ヘッド（８０）の周囲を移動する際には、テープ（２０）の外方側に位置する。
【００７０】
さらに図９および図１８〜図２１を参照すると、スリット（１１０）は、テープ（２０）を案内し、それと同時に供給テープ（２２）の通過を可能にするように適合される。スリット（１１０）は、貼付器ヘッド（８０）と共に、テープ（２０）を貼付器先端部（１２０）の方向に案内する。しかし、スリット（１１０）は、テープ案内機構（１０）がスリット（１１０）を用いずにその機能を果たし得るような、オプションの機能部であることも可能である。
【００７１】
さらに図９および図１７〜図２１を参照すると、傾斜部（９０）は、テープ（２０）を案内するように適合される。さらに図２７を参照すると、傾斜部（９０）は、貼付部分（６０）から巻き取りスプール（５０）まで移動するように巻き取りテープ（２４）を案内するように適合される。また、任意には、傾斜部（９０）は、供給スプール（４０）から貼付部分（６０）まで供給テープ（２２）を案内することも可能である。さらに、傾斜部（９０）は、貼付部分（６０）の単一平面（１４０）がスプール（４０）および（５０）の間の平面（１５０）と実質的に整列するように、スプール（４０）および（５０）の位置を定めるためのスプール部分（１３０）を提供するように適合される。テープ（２０）が、スプール（４０）および（５０）の間の平面（１５０）と整列する実質的に単一平面（１４０）内に位置する貼付部分（６０）に沿って移動することにより、テープ案内機構（１０）によって与えられる案内が最適化される。しかし、任意には、テープ案内機構（１０）は、傾斜部（９０）を用いずにその機能を果たすことが可能である。
【００７２】
再度図９および図１７〜図２１を参照すると、テープ案内機構（１０）はさらに、テープ（２０）が、供給スプール（４０）から貼付部分（６０）まで、貼付部分（６０）に沿って貼付器先端部（１２０）の方向にまたは任意にはスリット（１１０）の方向に進み、任意にはスリット（１１０）を通過して、貼付器先端部（１２０）の周囲を周り、貼付部分（６０）に沿って巻き取りスプール（５０）の方向にまたは任意には傾斜部（９０）の方向に進み、任意には傾斜部（９０）の少なくとも一部分に沿って、巻き取りスプール（５０）に戻るように、案内するためのものである。テープ案内機構（１０）はさらに、テープ（２０）を案内して、テープ（２０）が供給スプール（４０）から貼付部分（６０）まで、単一平面上の貼付部分（６０）に沿って貼付器先端部（１２０）の方向にまたは任意にはスリット（１１０）の方向に進み、任意にはスリット（１１０）を通過して、貼付器先端部（１２０）の周囲を周り、単一平面（１４０）上の貼付部分（６０）に沿って巻き取りスプール（５０）の方向にまたは任意には傾斜部（９０）の方向に進み、任意には傾斜部（９０）の少なくとも一部分に沿って、巻き取りスプール（５０）へと戻るように、実質的にしっかりと張った態様で移動するのを可能にするように適合される。他のテープ（２０）移動シーケンスが、図２７に図示される。本発明においては、傾斜部（９０）、スリット（１１０）、機能部（１７１）および（１７２）（以下において説明するような）、これらの機能部の中の２つ、またはこれらの機能部の全てが、オプションの機能部となることが可能である。また、これらの機能部（６０）、（８０）、（９０）、（１１０）、（１７１）、および（１７２）の中の少なくとも２つ任意の組合せが、任意の他の機能部の少なくとも１つを任意に備えることも、可能である。
【００７３】
図９、図１７〜図２１、および図２７を参照すると、テープ（２０）は、供給スプール（４０）から貼付部分（６０）まで、単一平面上の貼付部分（６０）に沿って貼付器先端部（１２０）の方向にまたは任意にはスリット（１１０）の方向に進み、任意にはスリット（１１０）を通過して、貼付器先端部（１２０）の周囲を周り、単一平面（１４０）上の貼付部分（６０）に沿って巻き取りスプール（５０）の方向にまたは任意には傾斜部（９０）の方向に進み、任意には傾斜部（９０）の少なくとも一部分に沿って、巻き取りスプール（５０）へと戻るように移動する。
【００７４】
さらに、図１７、図１８、および図２３を参照すると、貼付部分（６０）の長さ、厚さ、および形状、ならびに傾斜部（９０）の第１の角度（４４０）、第２の角度（４５０）および水平方向長さ（３４０）は、テープ案内機構（１０）が、テープ（２０）を案内し、テープの弛みを防止するのに十分なものである。
【００７５】
さらに、次に図９〜図１２、図１４〜図１５、および図２７を参照すると、テープ案内機構（１０）は、供給スプール（４０）から貼付部分（６０）に沿ってスリット（１１０）まで供給テープ（２２）を案内し、傾斜部（９０）から巻き取りスプール（５０）まで巻き取りテープ（２４）を案内するように適合された、少なくとも１つの案内シャフト（１７０）をさらに備える。案内シャフト（１７０）は、スプール・シャフト（３１０）に対して実質的に平行に、傾斜部（９０）の上に形成される。本発明の最も好ましい実施形態の中の１つによれば、図９〜図１２および図１４に示すように、２つの案内シャフト（１７０）が、傾斜部（９０）の上に形成される。図９、図１８、および図１９を参照すると、供給テープ（２２）は、外方シャフト（１７１）に接触し、巻き取りテープ（２４）は、内方シャフト（１７３）に接触する。
【００７６】
テープ案内機構（１０）は、供給スプール（４０）から貼付部分（６０）に沿ってスリット（１１０）まで供給テープ（２２）を案内し、傾斜部（９０）から巻き取りスプール（５０）まで巻き取りテープ（２４）を案内するための、少なくとも１つの案内シャフト（１７０）をさらに備える。この少なくとも１つの案内シャフト（１７０）は、スプール（４０）および（５０）の回転軸に対して実質的に平行に、傾斜部（９０）の上に形成される。テープ案内機構（１０）は、任意には案内シャフト（１７０）を用いずにその機能を果たすことが可能である点に留意されたい。
【００７７】
さらに、次に図６、図９〜図１１、図１４、および図１８を参照すると、貼付部分（６０）は、貼付部分（６０）の長手方向の長さに沿って貼付部分（６０）の断面において左右に屈曲する貼付輪郭部（１９０）を備える。貼付輪郭部（１９０）は、貼付部分（６０）の上にテープ（２０）をさらに案内するように、貼付器ヘッド（８０）に可撓性を与えるように、またはそれらの機能の両方を実現するように、適合される。好ましくは、貼付輪郭部（１９０）は、図６、図１０、および図１４に示すようにジグザグ縦断面で形成される。また、貼付輪郭部（１９０）の長手方向断面は、湾曲状形状構成またはＳ字形状構成、ジグザグ構成（５８０）、および図２４に図示するような他の構成などの、他の構成に倣うことも可能である。テープ案内機構（１０）は、任意には貼付輪郭部（１９０）を用いずにその機能を果たすことが可能である。
【００７８】
次に図６、図９、図１１〜図１５、および図１８を参照すると、貼付器ヘッド（８０）もまた、切欠セクション（２１０）と、間に切欠セクション（２１０）を画定する双対棘状部（２２０）と、切欠セクション（２１０）の端部間において双対棘状部（２２０）の間を連結するブリッジ（２３０）とをさらに備える。次に図９および図１５を参照すると、ブリッジ（２３０）は、貼付部分（６０）から上方へと実質的に突出する。ブリッジ（２３０）は、貼付器ヘッド（８０）の上にテープ（２０）を案内するように適合される。テープ案内機構（１０）は、任意にはブリッジ（２３０）を用いずにその機能を果たすことが可能である。
【００７９】
次に図９、図１８、図２１、および図２６を参照すると、貼付器部分（６０）は、テープ案内部材（６１０）および（６２０）をさらに備える。さらに図１２、図１３、および図１６を参照すると、テープ案内部材（６１０）および（６２０）は、テープ案内溝（２４０）を形成する。図２１にさらに示すように、リブ（６１０）としてのテープ案内部材（６１０）が図示される。図２６に示すように、案内壁（６２０）としてのテープ案内部材（６２０）が図示される。図９、図１２、図１３、図１８、図２１、および図２６を参照すると、テープ案内溝（２４０）は、貼付部分（６０）に沿ったテープ移動経路（４３０）に沿って形成される。また、テープ案内機構（２４０）は、貼付部分（６０）に沿って移動するテープ（２０）を案内するように適合される。テープ案内機構（１０）は、任意にはテープ案内部材（６１０）および（６２０）、テープ案内溝（２４０）を用いずに、その機能を果たすことが可能である。
【００８０】
次に図１７および図１８を参照すると、貼付器部分（６０）は、実質的に所定の長さおよび所定の厚さである。傾斜部（９０）は、実質的に所定の第１の角度（４４０）にて下方に屈曲する。次に図９、図１５、図２１、および図２３を参照すると、傾斜部（９０）の前方エッジ（４１０）は、貼付部分（６０）上のテープ移動経路（４３０）の長手方向軸（４６０）から所定の第２の角度（４５０）を成す。傾斜部（９０）は、図１７に図示するように、実質的に所定の水平方向長さ（３４０）にわたって位置を占める。貼付部分（６０）の長さ、厚さ、および形状、ならびに傾斜部（９０）の第１の角度（４４０）、第２の角度（４５０）、および水平方向長さは、テープ（２０）が実質的に平坦かつしっかりと張った態様で単一平面（１４０）中において貼付部分（６０）の周囲を移動するように、実質的にスプールの方向にテープ（２０）を牽引するのに十分なものである。また、さらに図１７を参照すると、貼付部分（６０）は、テープ案内機構（１０）がテープ（２０）を案内し、テープの弛みを防止するのに実質的に十分な長さからなる。次に図１７を参照すると、単一平面（１４０）は実質的には、実質的に２．５×１０−２ｍ〜３．５×１０−２ｍの範囲内の長さ、および実質的に５．０×１０−４ｍ〜３．０×１０−３ｍの範囲内の厚さである。
【００８１】
さらに図１７および図１８を参照すると、傾斜部（９０）は、実質的に第１の角度（４４０）にて下方に屈曲し、この第１の角度（４４０）は、テープ案内機構（１０）がテープ（２０）を案内し、テープの弛みを防止するのに十分な角度であり、好ましくは実質的に水平平面から３０°〜４８°の範囲である。次に、図１７を再度参照すると、傾斜部（９０）は、実質的に水平方向長さ（３４０）にわたって位置をやはり占め、この水平方向長さ（３４０）は、テープ案内機構（１０）がテープ（２０）を案内し、テープの弛みを防止するのに十分な長さであり、実質的には５．０×１０−３ｍ〜１．５×１０−２ｍの範囲である。
【００８２】
図２５を参照すると、貼付部分（６０）が傾斜部（９０）へと屈曲し、傾斜部（９０）がスプール部分（１３０）へと移行する場所である、ベースの左側（１８０１）および右側（１８０２）の長手方向断面もまた、湾曲状形状構成またはＳ字形状構成（４９０）、ジグザグ構成（４８０）、および他の構成（５１０）および（５２０）などの、他の構成に倣うことが可能である。
【００８３】
貼付器ヘッド（８０）は、ここではベース（１８０）と一体の構造体であるとして図示されるが、着脱自在な貼付器ヘッド（８０）にも適用し得るものと認識される。さらに、ベース（１８０）に対して着脱自在に連結される貼付器ヘッドにも適用し得るものと認識される。
【００８４】
図２８を参照すると、ベース（１８０）および貼付器または貼付器ヘッド（８０）は、組み合わされることにより、前記ベース（１８０）と前記貼付器（８０）との間に修正テープ用の通路を与えるためのスリット（１１０）を有する単体を形成する。好ましくは、前記複数の連結部（１６）は、ベース（１８０）およびカバーすなわち上部ケース（２６０）と一体化されてロック手段を提供する。本発明においては好ましくはベースから上方に延在するシャフトを特徴とする、スプール・シャフト（３１０）としても知られる保持具（３１０）は、修正テープ・スプールを受け、修正テープ・スプールは、巻き取りスプール（５０）および供給スプール（４０）を備える。
【００８５】
これらの主要要素の他に、修正テープ・ディスペンサは、不可逆的な動きを実現するラチェット（５１）を保持具（３１０）シャフトの周囲に好ましくは有し、修正テープ・スプールと貼付器（８０）の先端部（１２０）との間の位置合わせを実現するための案内手段を好ましくは有する。この案内手段は、修正テープ・スプールの案内された回転の動きを実現するためのラチェット（５１）の周囲のレール（１０１）、修正テープの位置合わせを実現するためにレール（１０１）から貼付器（８０）の先端部（１２０）の方向に整列された垂直ガイドすなわち案内シャフト（１７０）、および修正テープを案内してスリット（１１０）を通って出るようにすることで、前記修正テープが先端部（１２０）の周囲に巻きつくことが可能となるようにするための、修正テープがベース（１８０）と貼付器（８０）との間のスリット（１１０）に進入する前のスロープとして識別される水平ガイド（１０３）として記述される。
【００８６】
図２９を参照すると、本発明の上面図が図示され、この図面は、相互に効果的な作動関係に置かれた案内手段の方向および位置を明瞭に示す。先述のように、修正テープ・スプールへの回転の動きのガイドとしてのレール（１０１）は、供給スプール４０から配給された修正テープが、レール（１０１）の付近においてベース（１８０）から上方に延在する１対のシャフトを特徴とする垂直ガイド（１７０）を通り案内され、スリット（１１０）を通るように修正テープを送る前に前記水平ガイド（１０３）の補助により直角に捩じられるように、整列される。次いで、表面上に修正テープを搬送した後に、空のテープが、貼付器（８０）の先端部（１２０）の周囲に巻きつき、巻き取りスプール（５０）へと戻る。
【００８７】
図３０を参照すると、好ましい実施形態の側面図が図示される。この図は、修正テープ・スプールが逆方向に回転するのを防止するために、ラチェット（５１）に係合している巻き取りスプール（５０）を示す。また、修正テープが有効なストリップ張力で貼付器ヘッド（８０）を完全に包絡することを目的として、修正テープの起点となる供給スプール（４０）が、貼付器（８０）の先端部（１２０）から協調的な長さおよび高さに位置決めされるのが図示される。
【００８８】
任意には貼付器（８０）の先端部（１２０）にて少なくとも１．５ｋｇ〜最大で５ｋｇまでの押圧力に耐えることが可能となるように、好ましい実施形態を製造するために使用される材料は、ポリマー材料の任意の群、好ましくはポリプロピレンおよびポリアミドとなるように選択される。なぜならば、本発明の製造プロセスは、使用される材料の収縮値に多大な影響を及ぼす射出成形を利用して実施されるからである。しかし、この好ましい実施形態を製造するために、好ましくは４０００ｐｓｉ〜１２０００ｐｓｉの範囲の有効材料引張強度と、好ましくは本発明の十分な可撓性を実現する展性および弾性とを有する、他の非限定的な材料を使用することも可能である。先端部（１２０）に対して十分な可撓性を与えるために、任意には、貼付器（８０）は、その先端部（１２０）にて少なくとも１．５ｋｇ〜最大で５ｋｇの押圧力に耐えることが可能である。勾配レベルを考慮に入れることによる任意の破損からの貼付器ヘッド（８０）の強度をさらに高めることに関連して、貼付器ヘッド（８０）の底部は、好ましくは、追加的な強度および支持をもたらすようにリブ補強される。
【００８９】
図３１を参照すると、貼付器先端部（１２０）、スプール・シャフト（３１０）、テープガイド、および垂直ガイドすなわち案内シャフト（１７０）を備える、リールからテープを配給するための修正デバイスの台座すなわちベース（１８０）は、単体として一体化されてもよく、または台座（１８０）から分離可能なものであってもよい。先述の構成は、他の構成要素と共に修正デバイスの台座から分離可能な分配ヘッドを有する。貼付器先端部（１２０）は、使用中に貼付器先端部（１２０）に対して印加される押圧力に対して貼付器先端部（１２０）が対応することが可能となるように、可撓性であってもよい。
【００９０】
スプール・シャフト（３１０）は、作動中に供給スプールおよび巻き取りスプールを定位置に保持し、したがって、リールの位置移動を防止しつつ、供給スプールおよび巻き取りスプールが回転するための枢軸を形成する。
【００９１】
台座（１８０）は、左右の利き手のユーザ向けの「成形」輪郭を成す表面輪郭部を有して設計される。貼付器先端部（１２０）とスプール・シャフト（３１０）との間に位置する湾曲部または傾斜部（９０）は、使用中にユーザが少なくとも指を載置するための箇所を与える造り付けの人間工学的機能部を提供する。さらに、これは、使用する指が好ましい保持に位置決めされるように案内して、修正デバイスの使用を快適なものにする。
【００９２】
先述のように、湾曲部（９０）の有効傾斜角度は、台座（１８０）のベース・プラットフォームまたはスプール部分（３１０）の平面から３０度〜４８度の間であってもよい。
【００９３】
湾曲部（９０）が、高位プラットフォーム（３００）をもたらすことにより、供給スプール（４０）と巻き取りスプール（５０）との間の接触面は、貼付器先端部（１２０）と整列される。
【００９４】
図３２および図３３を参照すると、台座（１８０）と同様に、上方シェル（２６０）は、左右の利き手のユーザ向けの「成形」輪郭部を成す表面輪郭部を有して形状設定される。この輪郭は、丸みエッジおよび湾曲状側部を有する比較的平坦な上部（２４００）を有する。平坦上部（２４００）は、親指を載置するためのプラットフォームを形成し、したがって快適な保持にとって好ましい位置へと親指を案内する。上方シェル（２６０）の形状は、左右の利き手のユーザの手に向いた保持握り部を与える。参照のために、湾曲状側部は、後方湾曲状セクション（２１００）、小湾曲状セクション（２２００）、および大湾曲状セクション（２３００）を備える複数のセクションへと分割され得る。これらのセクション（２１００、２２００、２３００）は、指を好ましい位置に案内する。
【００９５】
後方端部（４１０）としても知られる台座の後部は、台座（１８０）のベース・プラットフォーム（３１０）の平面から上方に角度を付けられて、ユーザの手を載置するための支持を与えてもよい。上方シェル（２６０）と組み合わされると、角度を付けられた後部（４１０）は、先鋭エッジに晒される状態を低減し、したがって安全かつ快適な握りを実現する。
【００９６】
親指が、平坦状部（２４００）の上に置かれることにより、人差し指は、後方湾曲状セクション（２１００）の周囲、および右手が利き手のユーザの場合には小湾曲状セクション（２２００）の周囲を覆うように、または左手が利き手のユーザの場合には大湾曲状セクション（２３００）の周囲を覆うように、自然に案内され得る。修正デバイスを支持する位置へと中指を案内するための平面Ａと平面Ｂとの間に位置する湾曲部（９０）と共に、ユーザは、修正テープ・ディスペンサ・デバイス（１００）を快適に保持する好ましい様式へと自然に案内される。
【００９７】
好ましい位置において修正デバイスを保持するようにユーザの手を案内するために修正テープ・ディスペンサ・デバイス（１００）を形状設定することにより、不適切な握りまたは保持が減少することによって、ユーザへの疲労、不快感、および傷害が軽減される。図３５は修正デバイスを使用中に保持するための例示的な配向を示す。
【００９８】
貼付器先端部（１２０）用の支持部は、強力な可撓性支持をもたらすようにジグザグ形状であってもよい。剛性の直線状支持ビームに比べて、ジグザグ支持ビームは、以下においてさらに詳細に説明するように、支持部を撓曲させることを可能にすることにより、使用中に貼付器先端部（１２０）に対して印加される様々な押圧力に対して適応する。
【００９９】
台座（１８０）および上方シェル（２６０）は、台座（１８０）が上方シェル（２６０）内に嵌め込まれることにより、分離ラインが修正デバイスの底部側に移動するように組み付けられる。
【０１００】
この組立により、台座（１８０）は、上方シェル（２６０）からはみ出すことなく位置することが可能となる。分離ラインは、落下試験において不合格となるリスクを負う主要な要因の中の１つである。分離ラインを修正デバイスの底部へと移動させることにより、修正デバイスは、落下時の衝撃に対する反発性がより高くなり得る。この修正デバイスは、落下により容易にばらばらになることはない。さらに、図１〜図３および図５を参照すると、本発明の修正デバイスの構造は、落下時の衝撃に対する反発性がやはりより高いものである。この修正デバイスは、落下により容易にばらばらになることはない。特に、台座（１００）は、落下により上方シェル（２００）から容易には分離されない。落下試験およびそれらの結果の例を以下に示す。
【０１０１】
落下試験１（発明）
この落下試験は、図３１〜図３３に図示するような本発明の修正テープ・ディスペンサ・デバイス（１００）に対して行った。
１．０  文献の序説
本文献は、落下試験の実施方法について説明する。これには、試験設備、試験条件、および試験手順が含まれる。
【０１０２】
【表１】
2013544668.tif 000003
【０１０３】
２．０  試験設備
ａ．  ２．５ｍｍゴム・パッド
３．０  試験条件
ａ．  落下高さ  １００ｃｍ
ｂ．  落下シーケンス  ６つの落下／１つの製品
ｃ．  重量（パッケージングされた１セット）  １３．１１グラム
ｅ．  合計量  ６４セット（ケース同士をクロスマッチする）
【０１０４】
【表２Ａ】
2013544668.tif 000004
【表２Ｂ】
2013544668.tif 000005
【０１０５】
４．１  結果の概要
ａ．  試験品の全体の１．６％が１ｍｍ以上のケースのずれを生じさせることが判明
ｂ．  試験品の全体の９８．４％が依然として機能する
ｃ．  試験品の全体の０％が完全に分解される
【０１０６】
落下試験２（先行技術）
この試験において使用される先行技術は、図４に図示される。
２．０  試験設備
ａ．  ２．５ｍｍゴム・パッド
３．０  試験条件
ａ．  落下高さ  １００ｃｍ
ｂ．  落下シーケンス  ６つの落下／１つの製品
ｃ．  重量（パッケージングされた１セット）  １７．９８グラム
ｄ．  合計量  １６セット（ケース同士をクロスマッチする）
【０１０７】
【表３】
2013544668.tif 000006
【０１０８】
４．１  結果の概要
ａ．  試験品の全体の６．２５％が１ｍｍ以上のケースのずれを生じさせることが判明
ｂ．  試験品の全体の４３．７５％が依然として機能する
ｃ．  試験品の全体の５０％が完全に分解される
【０１０９】
次に、図３６、図３７、および図３８を参照して、紙の上の手書きおよびタイプライタによる書き損じを覆うために、また書類作成の手直しを行うために、不透明なマスキング接着層などの修正テープ（２０）を表面に対して貼付するための水平型修正テープ・ディスペンサ（１００）の基本構造を説明する。
【０１１０】
水平型修正テープ・ディスペンサ（１００）は、修正テープ供給リールまたはスプール（４０）と、修正テープ巻き取りリールまたはスプール（５０）とを収容するためのハウジングを備える。ハウジングは、２つの部分、すなわち修正テープ供給リール（４０）および修正テープ巻き取りリール（５０）を収容するための本体またはハウジング（１１００）と、修正テープ供給リール（４０）および修正テープ巻き取りリール（５０）を覆うための、本体（１１００）の上に固定されるカバーまたは上部ケース（２６０）とに区分される。貼付器ヘッド（８０）が、修正テープ（２０）を案内するために、本体（１１００）の前方端部に装着される。貼付器ヘッド（８０）は、その製造の複雑性を低下させるために、単一平面に位置を占めるように設計される。換言すれば、貼付器ヘッド（８０）の主要な構成要素の殆どが、貼付器ヘッド（８０）と同一平面に水平に位置決めされ、したがって、前記貼付器ヘッド（８０）の作製に必要とされる型が、より少数になる。また、好ましくは、貼付器ヘッド（８０）は、本体（１１００）の前方端部に永続的に装着されるが、それに限定されない。
【０１１１】
図３８、図３９、および図４４を参照すると、貼付器ヘッド（８０）が、本体（１１００）の前方部分に対して部分的に装着されているのが図示される。本発明の技術的特徴は、貼付器ヘッド（８０）が、第１の垂直支持手段（２１０１）と、第２の垂直支持手段（２２０１）と、前記第１の垂直支持手段（２１０１）の前方端部と前記第２の垂直支持手段（２２０１）の前方端部との間に装着される案内手段（２３０１）とを備えることを特徴とする。修正テープ（２０）と案内手段（２３０１）との間の摩擦力が低いことにより、修正テープ（２０）は、作動モードの際に貼付器ヘッド（８０）から逃げる傾向がある。これを防止するために、および修正テープ（２０）に対して案内を与えるために、案内手段（２３０１）は、修正テープを案内し、貼付器ヘッド（８０）および案内手段（２３０１）に修正テープ（２０）を位置合わせすることを目的とした、１対の突出側部先端部（２３１）、（２３２）を上部表面および下部表面に有する表面（図示せず）に向かってテーパ状となる。
【０１１２】
図３９および図４３を参照すると、貼付器ヘッド（８０）は、第１の垂直支持手段（２１０１）の側部表面に横方向に装着された、第１の曲げ角（２４１）および第２の曲げ角（２４２）を有する第１のＶ字形状リッジ（２４０１）と、第２の垂直支持手段（２２０１）の側部表面に横方向に装着された、第３の曲げ角（２５１）および第４の曲げ角（２５２）を有する第２のＶ字形状リッジ（２５０１）とをさらに備える。好ましくは、第１の曲げ角、第２の曲げ角、第３の曲げ角、および第４の曲げ角は、それぞれ１０°〜１６°、５８°〜６４°、７°〜１３°、および５３°〜５９°の範囲であるが、それらに限定されない。この構成により、第１の垂直支持手段（２１０１）および第２の垂直支持手段（２２０１）は、貼付器ヘッド（８０）の可撓性を上昇させる。さらに、追加のＶ字形状リッジを加えて、貼付器ヘッド（８０）の可撓性をさらに向上させることも可能である。貼付器ヘッド（８０）の可撓性が高いことにより、貼付器ヘッド（８０）の構造強度は、作動中にユーザにより印加される押圧力を相殺することができない。貼付器ヘッド（８０）の破損を防止するために、以下の実施形態は、構造強度を上昇させる方法を教示する。
【０１１３】
図４０、図４２、および図４４を参照すると、本発明の貼付器ヘッド（８０）が、第１の垂直支持手段（２１０１）の下部表面に装着される第１の曲げリッジ（２６０１）と、第２の垂直支持手段（２２０１）の下部表面に装着される第２の曲げリッジ（２７０１）とをさらに備える。これらの第１の曲げリッジ（２６０１）および第２の曲げリッジ（２７０１）は共に、案内手段（２３０１）に向かってテーパ状となる前方部分を有する。第１の曲げリッジ（２６０１）は、貼付器ヘッド（８０）の正中線Ａ−Ａに対して平行となるように垂直方向に配置され、第２の曲げリッジ（２７０１）は、貼付器ヘッド（８０）の正中線Ａ−Ａから２°〜８°の間の、好ましくは５°のずれを有して、配置される。第１の曲げリッジ（２６０１）および第２の曲げリッジ（２７０１）は共に、第１の垂直支持手段（２１０１）および第２の垂直支持手段（２２０１）の構造強度を上昇させて、貼付器ヘッド（８０）に対して作用する押圧力を相殺する。
【０１１４】
図３９および図４４を参照すると、貼付器ヘッド（８０）は、第１の垂直支持手段（２１０１）および第２の垂直支持手段（２２０１）に装着された少なくとも１つの水平支持手段（２８０１）を備え、さらに具体的には、水平支持手段（２８０１）は、前記垂直支持手段（２１０１）、（２２０１）のそれぞれの前方端部と後方端部との間に装着される。水平支持手段（２８０１）は、修正テープ（２０）を案内し、貼付器ヘッド（８０）からの修正テープ（２０）の逃げを防止するために、水平支持手段（２８０１）の両端部において上方に延在する突出先端部をさらに備える。また、水平支持手段（２８０１）は、２つの垂直支持手段（２１０１）、（２２０１）に対してユーザにより印加される不均一な押圧力を相殺するための安定化手段としての機能をさらに果たす。
【０１１５】
図３６および図４５を参照すると、水平支持手段（２８０１）は、カバー（２６０）の内部に位置することが好ましく、貼付器ヘッド（８０）は、カバー（２６０）により部分的に覆われる。この構成により、カバー（２６０）の前方端部は、貼付器ヘッド（８０）に対する保護を与え、この場合には、作動中に貼付器ヘッド（８０）に対して過度の押圧力が印加されるのを防止するために使用される。これらの実施形態においては、水平型修正テープ・ディスペンサ（１００）は、構成要素の個数を削減し、構成要素の製造の複雑性を軽減することが可能であり、１つの型を使用することにより貼付器ヘッドおよび本体を製造することが可能となる。また、水平型修正テープ・ディスペンサ（１００）は、所要の構造強度を維持し、より高い可撓性を実現することが可能であり、（上述のように）貼付器ヘッド（８０）に対して作用する最低１．５ｋｇ〜最大５ｋｇの力に対して実質的に耐えることが可能となる。また、貼付器ヘッド（８０）は、好ましくはポリプロピレンまたはポリアミドから作製されるが、それらに限定されない。ポリプロピレンおよびポリアミドの技術データの概要を、以下の表において示す。
【０１１６】
【表４】
2013544668.tif 000007
【０１１７】
本発明の例として上記において説明したものの概要は、本体（２０）と、カバー（２６０）と、貼付器ヘッド（８０）とを備える、表面に対して修正テープ（２０）を貼付するための水平型修正テープ・ディスペンサ（１００）であって、貼付器ヘッド（８０）が、第１の垂直支持手段（２１０１）と、第２の垂直支持手段（２２０１）と、第１の垂直支持手段（２１０１）と第２の垂直支持手段（２２０１）との間に装着された少なくとも１つの水平支持手段（２８０１）とを備えることを特徴とする、水平型修正テープ・ディスペンサ（１００）となる。
【０１１８】
前述の明細書内において、本発明は、その好ましい特定の実施形態に関連して説明され、例示を目的として多数の詳細が示されているが、本発明は、他の実施形態を許容するものであり、本発明の基本原理から逸脱することなく、本明細書において記載される詳細のいくつかを大幅に変更することが可能である点が、当業者には明らかになろう。
【図１】
2013544668.tif 000008
【図２】
2013544668.tif 000009
【図３】
2013544668.tif 000010
【図４】
2013544668.tif 000011
【図５】
2013544668.tif 000012
【図６】
2013544668.tif 000013
【図７】
2013544668.tif 000014
【図８】
2013544668.tif 000015
【図９】
2013544668.tif 000016
【図１０】
2013544668.tif 000017
【図１１】
2013544668.tif 000018
【図１２】
2013544668.tif 000019
【図１３】
2013544668.tif 000020
【図１４】
2013544668.tif 000021
【図１５】
2013544668.tif 000022
【図１６】
2013544668.tif 000023
【図１７】
2013544668.tif 000024
【図１８】
2013544668.tif 000025
【図１９】
2013544668.tif 000026
【図２０】
2013544668.tif 000027
【図２１】
2013544668.tif 000028
【図２２】
2013544668.tif 000029
【図２３】
2013544668.tif 000030
【図２４】
2013544668.tif 000031
【図２５】
2013544668.tif 000032
【図２６】
2013544668.tif 000033
【図２７】
2013544668.tif 000034
【図２８】
2013544668.tif 000035
【図２９】
2013544668.tif 000036
【図３０】
2013544668.tif 000037
【図３１】
2013544668.tif 000038
【図３２】
2013544668.tif 000039
【図３３】
2013544668.tif 000040
【図３４】
2013544668.tif 000041
【図３５】
2013544668.tif 000042
【図３６】
2013544668.tif 000043
【図３７】
2013544668.tif 000044
【図３８】
2013544668.tif 000045
【図３９】
2013544668.tif 000046
【図４０】
2013544668.tif 000047
【図４１】
2013544668.tif 000048
【図４２】
2013544668.tif 000049
【図４３】
2013544668.tif 000050
【図４４】
2013544668.tif 000051
【図４５】
2013544668.tif 000052
【手続補正書】
【提出日】平成24年9月11日(2012.9.11)
【手続補正１】
【補正対象書類名】特許請求の範囲
【補正対象項目名】全文
【補正方法】変更
【補正の内容】
【特許請求の範囲】
【請求項１】
供給テープ（２２）および巻き取りテープ（２４）を有するテープ（２０）のストリップと、
スプール部分（１３０）と、
前記スプール部分（１３０）に配設された、前記供給テープ（２２）を巻くための供給スプール（４０）と、
前記巻き取りテープ（２４）を巻くための巻き取りスプール（５０）であって、前記巻き取りスプール部分（１３０）は、前記スプール部分（１３０）に配設される、巻き取りスプール（５０）と、
貼付器先端部（１２０）であって、前記供給テープ（２２）は、前記供給スプール（４０）から前記貼付器先端部（１２０）まで移動し、前記巻き取りテープ（２４）は、前記貼付器先端部（１２０）から前記巻き取りスプール（５０）まで移動する、貼付器先端部（１２０）と、
前記テープ（２０）が前記供給スプール（４０）から前記貼付器先端部（１２０）を周り前記巻き取りスプール（５０）まで移動するように、前記供給スプール（４０）および前記巻き取りスプール（５０）を回転させ得るスプール機構（７０）と
を備える、テープ・デバイス（１００）であって、
前記テープ・デバイス（１００）は、前記テープ（２０）を案内するための、およびテープの弛みを防止するためのテープ案内機構（１０）をさらに備え、前記テープ案内機構（１０）は、
貼付器ヘッド（８０）を有する貼付部分（６０）であって、前記貼付部分（６０）は、単一平面（１４０）上に位置を占める実質的に平坦な形状で形成され、前記テープ（２０）は、前記単一平面（１４０）上において前記貼付部分（６０）の周囲を移動する、貼付部分（６０）と、
前記貼付部分（６０）の後方部分（８４）に形成される、前記供給テープ（２２）を通過させ得るスリット（１１０）と、
前記貼付器部分（６０）の後方部分（８４）に対して実質的に連結される前方端部（４１０）を有する傾斜部（９０）であって、前記傾斜部（９０）は、前記貼付器部分（６０）の前記後方部分（８４）から前記スプール部分（１３０）まで下方に屈曲し、前記傾斜部（９０）により、前記スプール部分（１３０）は、前記貼付部分（６０）の前記単一平面（１４０）が前記スプール（４０）と（５０）との間の平面（１５０）と実質的に整列されるように、前記スプール（４０）および（５０）の位置を定める、傾斜部（９０）と
を備える、テープ・デバイス（１００）。
【請求項２】
前記テープ案内機構（１０）は、さらに、実質的にしっかりと張った態様で、前記テープ（２０）を案内し、前記テープ（２０）が前記供給スプール（４０）から前記貼付部分（６０）へ、前記単一平面（１４０）上において前記貼付部分（６０）に沿って前記貼付器先端部（１２０）の方向へ進み、前記スリット（１１０）を通り、前記貼付器先端部（１２０）の周囲を周り、前記単一平面（１４０）上において前記貼付部分（６０）に沿って前記巻き取りスプール（５０）の方向へ進み、前記傾斜部（９０）の上を通り、前記巻き取りスプール（５０）に戻るように移動するのを可能にするための、およびテープの弛みを防止するためのものである、請求項１に記載のテープ・デバイス（１００）。
【請求項３】
前記スリット（１１０）および前記貼付器ヘッド（８０）は、前記貼付器先端部（１２０）の方向に移動するように前記テープ（２０）を案内し、前記テープ（２０）が実質的に前記整列された平面（１４０）および（１５０）内において前記貼付部分（６０）に沿って移動することにより、前記テープ案内機構（１０）による案内が最適化される、請求項２に記載のテープ・デバイス（１００）。
【請求項４】
前記貼付部分（６０）は、実質的に長尺の平坦形状に形成され、前記貼付部分（６０）は、実質的にある長さおよびある厚さであり、前記傾斜部（９０）は、実質的に第１の角度（４４０）にて下方に屈曲し、前記傾斜部（９０）の前方エッジ（４１０）が、前記貼付部分（６０）の上のテープ移動経路（４３０）の長手方向軸（４６０）から第２の角度（４５０）を成し、前記傾斜部（９０）は、実質的に水平方向長さ（３４０）にわたって位置を占め、前記貼付部分（６０）の長さ、厚さ、および形状、ならびに、前記傾斜部（９０）の前記第１の角度（４４０）、前記第２の角度（４５０）、および前記水平方向長さ（３４０）は、前記テープ案内機構（１０）が前記テープ（２０）を案内し、かつテープの弛みを防止するのに十分なものである、請求項３に記載のテープ・デバイス（１００）。
【請求項５】
前記貼付部分（６０）は、実質的にある長さおよびある厚さであり、前記傾斜部（９０）は、実質的に第１の角度（４４０）にて下方に屈曲し、前記傾斜部（９０）の前記前方エッジ（４１０）は、前記貼付部分（６０）の上のテープ移動経路（４３０）の前記長手方向軸（４６０）から第２の角度（４５０）を成し、前記傾斜部（９０）は、実質的に水平方向長さ（３４０）にわたって位置を占め、前記貼付部分（６０）の長さ、厚さ、および形状、ならびに、前記傾斜部（９０）の前記第１の角度（４４０）、前記第２の角度（４５０）、および前記水平方向長さ（３４０）は、前記テープ（２０）が、実質的に平坦かつしっかりと張った態様で前記単一平面（１４０）内において前記貼付部分（６０）の周囲を移動するように、実質的に前記スプールの方向に前記テープ（２０）を牽引するのに十分なものである、請求項４に記載のテープ・デバイス（１００）。
【請求項６】
前記テープ案内機構（１０）は、前記供給スプール（４０）から前記貼付部分（６０）に沿って前記スリット（１１０）まで前記供給テープ（２２）を案内し、前記傾斜部（９０）から前記巻き取りスプール（５０）まで前記巻き取りテープ（２４）を案内するための、少なくとも１つの案内シャフト（１７０）をさらに備え、前記少なくとも１つの案内シャフト（１７０）は、前記傾斜部（９０）の上に、前記スプール（４０）および（５０）の回転軸に対して実質的に平行に形成される、請求項５に記載のテープ・デバイス（１００）。
【請求項７】
前記貼付器ヘッド（８０）、前記スリット（１１０）、および前記傾斜部（９０）が上に形成される、ベース（１８０）をさらに備える、請求項６に記載のテープ・デバイス（１００）。
【請求項８】
前記貼付部分（６０）は、前記貼付部分（６０）の長手方向の長さに沿って前記貼付部分（６０）の断面において左右に屈曲する貼付輪郭部（１９０）を備え、前記貼付輪郭部（１９０）は、前記貼付部分（６０）の上に前記テープ（２０）を案内するためのもの、前記貼付ヘッド（８０）に可撓性を与えるためのもの、およびこれらの機能の両方を実現するものからなる群より選択されるものである、請求項７に記載のテープ・デバイス（１００）。
【請求項９】
前記貼付器ヘッド（８０）は、少なくとも１つの切欠セクション（２１０）と、前記少なくとも１つの切欠セクション（２１０）を間に画定する複数の棘状部（２２０）と、前記切欠セクション（２１０）の端部間において前記棘状部（２２０）の間を連結する少なくとも１つのブリッジ（２３０）とをさらに備え、前記ブリッジ（２３０）は、前記貼付器ヘッド（８０）から上方へと実質的に突出し、前記ブリッジ（２３０）は、前記貼付器ヘッド（８０）の上に前記テープ（２０）をさらに案内するためのものである、請求項８に記載のテープ・デバイス（１００）。
【請求項１０】
前記貼付部分（６０）は、前記貼付部分（６０）の上に前記テープ（２０）をさらに案内するために、前記貼付部分（６０）に沿った前記テープ移動経路（４３０）に沿って形成されたテープ案内溝（２４０）を形成するテープ案内部材（６１０）および（６２０）をさらに備える、請求項９に記載のテープ・デバイス（１００）。
【請求項１１】
前記単一平面（１４０）は、実質的に平坦であると共に薄く、前記単一平面（１４０）は、実質的に水平平面上に位置し、前記スリット（１１０）および前記貼付器先端部（１２０）は、前記同一の単一平面（１４０）上において前記貼付部分（６０）の前記長手方向軸（４６０）に沿って整列される、請求項１０に記載のテープ・デバイス（１００）。
【請求項１２】
前記貼付部分（６０）は、実質的に２．５×１０−２ｍ〜３．５×１０−２ｍの範囲内の長さ、および実質的に５．０×１０−４ｍ〜３．０×１０−３ｍの範囲の厚さであり、前記傾斜部（９０）は、前記水平平面から実質的に３０°〜４８°の範囲内の第１の角度（４４０）にて下方に屈曲し、前記傾斜部（９０）の前記前方エッジ（４１０）は、前記貼付部分（６０）上のテープ移動経路（４３０）の前記長手方向軸（４６０）から２５°〜５５°の範囲内の第２の角度（４５０）を成し、前記傾斜部（９０）は、実質的に５．０×１０−３ｍ〜１．５×１０−２ｍの範囲内の前記水平方向長さ（３４０）にわたって位置を占める、請求項１１に記載のテープ・デバイス（１００）。
【請求項１３】
前記テープ・デバイス（１００）は、修正テープ・ディスペンサ・デバイスであり、前記テープ（２０）は、修正層（３０）が供給面（１６０）に装着された修正テープであり、前記供給面（１６０）は、前記テープ（２０）の貼付面（３７０）において前記貼付器ヘッド（８０）に沿って移動する際に、前記テープ（２０）の外方面（３８０）に位置し、前記修正層（３０）は、その外方面（３９０）が接着性を有し、それにより、前記修正層（３０）は、表面（３６０）に対して前記テープ（２０）を貼付する際に、前記修正層（３０）が接触する表面（３６０）へと剥離して付着し、前記貼付は、実質的に前記貼付器先端部（１２０）にて行われる、請求項１２に記載のテープ・デバイス（１００）。
【請求項１４】
前記修正テープ・ディスペンサ・デバイスは、水平型修正テープ・ディスペンサ・デバイスであり、前記スプール（４０）および（５０）の回転軸は、前記貼付器先端部（１２０）に対して垂直に設けられ、前記貼付部分（６０）の前記単一平面（１４０）は、前記スプール（４０）および（５０）の前記回転軸に対して垂直に位置を定められる、請求項１３に記載のテープ・デバイス（１００）。
【請求項１５】
前記貼付部分（６０）が前記傾斜部（９０）へと屈曲し、前記傾斜部（９０）が前記スプール部分（１３０）へと移行する位置における、前記ベース（１８０）の長手方向断面が、湾曲状形状構成（４９０）およびジグザグ構成（４８０）からなる群において選択される構成に倣い、前記貼付輪郭部（１９０）の前記長手方向断面が、湾曲状形状構成およびジグザグ構成（５８０）からなる群において選択される構成に倣う、請求項１４に記載のテープ・デバイス（１００）。
【請求項１６】
ベース（１８０）および上部ケース（２６０）を備えるケースと、
前記ケースの内部に修正テープ・スプールを保持するためのスプール・シャフト（３１０）と、
表面上に修正層（３０）を搬送するための、前記ケースのエッジに位置決めされた貼付器先端部（１２０）を有する貼付器ヘッド（８０）と、
前記スプール・シャフト（３１０）と前記貼付器先端部（１２０）との位置合わせを行うための案内手段と、
前記ケースを連結するための複数の連結部（１６）と
を備え、
前記スプール・シャフト（３１０）、前記貼付器ヘッド（８０）、および前記案内手段は、前記ベース（１８０）を構成して、単一体を形成し、前記単一体においては、前記貼付器先端部（１２０）および前記ベース（１８０）は同一配向において位置し、前記単一体は、前記修正テープ用の通路を与えるためのスリット（１１０）を備える、表面上にテープ（２０）を配給するための請求項１に記載のテープ・デバイス（１００）。
【請求項１７】
前記スプール・シャフト（３１０）は、前記修正テープ・スプールの不可逆的な動きを実現するためのラチェット（５１）を組み込まれる、請求項１６に記載のテープ・デバイス（１００）。
【請求項１８】
貼付器先端部（１２０）を有する前記貼付器ヘッド（８０）は、最低１．５ｋｇ〜最大５ｋｇの押圧重量に耐えることが可能である、請求項１６に記載のテープ・デバイス（１００）。
【請求項１９】
前記案内手段は、レール（１０１）、案内シャフト（１７０）、水平ガイド（１０３）、またはそれらの組合せのいずれかを備える、請求項１６に記載のテープ・デバイス（１００）。
【請求項２０】
前記レール（１０１）は、前記修正テープ・スプールの案内された回転の動きを実現する、請求項１９に記載のテープ・デバイス（１００）。
【請求項２１】
前記案内シャフト（１７０）は、前記ベース（１８０）から上方に延在し、前記レール（１０１）から前記貼付器先端部（１２０）の方向に位置合わせされた、１対のシャフトである、請求項１９に記載のテープ・デバイス（１００）。
【請求項２２】
前記水平ガイド（１０３）は、前記修正テープを出し前記貼付器先端部（１２０）の周囲に巻くための、スリット（１１０）へと下降するスロープである、請求項１９に記載のテープ・デバイス（１００）。
【請求項２３】
前記ベース（１８０）、前記スプール・シャフト（３１０）、貼付器先端部（１２０）を有する前記貼付器ヘッド（８０）、および前記案内手段からなる前記単一体は、好ましくはポリマー材料の任意の群から作製される、請求項１６に記載のテープ・デバイス（１００）。
【請求項２４】
前記ベース（１８０）、前記スプール・シャフト（３１０）、貼付器先端部（１２０）を有する前記貼付器ヘッド（８０）、および前記案内手段からなる前記単一体は、好ましくは展性材料から作製される、請求項１６に記載のテープ・デバイス（１００）。
【請求項２５】
前記ベース（１８０）、前記スプール・シャフト（３１０）、貼付器先端部（１２０）を有する前記貼付器ヘッド（８０）、および前記案内手段からなる前記単一体は、好ましくは弾性材料から作製される、請求項１９に記載のテープ・デバイス（１００）。
【請求項２６】
前記ベース（１８０）、前記スプール・シャフト（３１０）、貼付器先端部（１２０）を有する前記貼付器ヘッド（８０）、および前記案内手段からなる前記単一体は、好ましくは２８Ｍｐａ〜８３Ｍｐａの範囲の引張強度を有する任意の材料から作製される、請求項２０に記載のテープ・デバイス（１００）。
【請求項２７】
前記テープ・デバイス（１００）を保持するようにユーザの手を案内するための湾曲状表面（２１００、２２００、２３００）を有する上部ケース（２６０）と、
好ましい様式で前記テープ・デバイス（１００）を保持するように前記ユーザの少なくとも１つの指を案内するための傾斜部（９０）を貼付器先端部（１２０）とスプール・シャフト（３１０）との間にさらに有するベース（１８０）と
を備え、
前記ベース（１８０）が、単体として一体化されたスプール・シャフト（３１０）、案内シャフト（１７０）、および貼付器先端部（１２０）を有する、請求項１に記載のテープ・デバイス（１００）。
【請求項２８】
前記ベース（１８０）の前記傾斜部（９０）は、高位プラットフォーム（３００）をもたらすことにより、供給スプールと巻き取りスプールとの間の接触面が、前記貼付器先端部（１２０）の上にテープを案内するように前記貼付器先端部（１２０）と整列される、請求項２７に記載のテープ・デバイス（１００）。
【請求項２９】
前記傾斜部（９０）の傾斜角度が、前記台座（１８０）のベース・プラットフォームから３０度〜４８度の間である、請求項２７または２８に記載のテープ・デバイス（１００）。
【請求項３０】
前記ベース（１８０）の前記傾斜部（９０）により、前記テープは、前記貼付器先端部（１２０）において張った状態となることが可能となる、請求項２７〜２９のいずれか一項に記載のテープ・デバイス（１００）。
【請求項３１】
前記ベース（１８０）の前記傾斜部（９０）により、デバイスの使用時に少なくとも１つの指を載置することが可能となる、請求項２７〜３０のいずれか一項に記載のテープ・デバイス（１００）。
【請求項３２】
前記ベース（１８０）は、前記上部ケース（２６０）と組み合わされた場合にユーザの手の中に載置支持部を与えるための上方に角度を付けられた後方端部（４１４）を有する、請求項２７〜３１のいずれか一項に記載のテープ・デバイス（１００）。
【請求項３３】
前記ベース（１８０）の前記有角後部端（４１４）は、先鋭エッジに晒される状態を低減して、安全な握りを実現する、請求項３２に記載のテープ・デバイス（１００）。
【請求項３４】
前記上部ケース（２６０）は、ユーザの手に保持握り部を与える形状を有する、請求項２７〜３３のいずれか一項に記載のテープ・デバイス（１００）。
【請求項３５】
前記上部ケース（２６０）は、左が利き手のユーザおよび右が利き手のユーザの両方に対して保持握り部を与える形状を有する、請求項２７〜３４のいずれか一項に記載のテープ・デバイス（１００）。
【請求項３６】
前記ベース（１００）は、組み立てられた場合に前記上部ケース（２６０）内に嵌め込まれる、請求項２７〜３５のいずれか一項に記載のテープ・デバイス（１００）。
【請求項３７】
前記ベース（１８０）と前記上部ケース（２６０）との間の分離ラインが、前記テープ・デバイス（１００）の底部に位置する、請求項２７〜３６のいずれか一項に記載のテープ・デバイス（１００）。
【請求項３８】
修正テープ供給リール（４０）および修正テープ巻き取りリール（５０）を収容するための本体（１１００）と、
前記本体（１１００）の前方端部に装着される貼付器ヘッド（８０）と、
前記修正テープ供給リール（４０）および前記修正テープ巻き取りリール（５０）を覆うための、前記本体（１１００）の上に固定される上部ケース（２６０）と
を備える、表面上に前記テープ（２０）を貼付するための請求項１に記載のテープ・デバイス（１００）であって、
前記貼付器ヘッド（８０）が、
第１の垂直支持手段（２１０１）と、
第２の垂直支持手段（２２０１）と、
前記第１の垂直支持手段（２１０１）および前記第２の垂直支持手段（２２０１）の前方端部間に装着される案内手段（２３０１）と
前記第１の垂直支持手段（２１０１）の側部表面に横方向に装着される、第１の曲げ角（２４１）および第２の曲げ角（２４２）を有する第１のリッジ（２４０１）と、
前記第２の垂直支持手段（２２０１）の側部表面に横方向に装着される、第３の曲げ角（２５１）および第４の曲げ角（２５２）を有する第２のリッジ（２５０１）と
を備える、テープ・デバイス（１００）。
【請求項３９】
前記第１のリッジ（２４０１）および前記第２のリッジ（２５０１）は、好ましくはＶ字形状である、請求項３８に記載の修正テープ・デバイス（１００）。
【請求項４０】
前記貼付器ヘッド（８０）は、前記第１の垂直支持手段（２１０１）の下部表面に装着される第１の曲げリッジ（２６０１）を備える、請求項３８に記載の修正テープ・デバイス（１００）。
【請求項４１】
前記貼付器ヘッド（８０）は、前記第２の垂直支持手段（２２０１）の下部表面に装着される第２の曲げリッジ（２７０１）を備える、請求項３８に記載の修正テープ・デバイス（１００）。
【請求項４２】
前記第１の曲げ角（２４１）は、１０°〜１６°の範囲内である、請求項３８に記載の修正テープ・デバイス（１００）。
【請求項４３】
前記第２の曲げ角（２４２）は、５８°〜６４°の範囲内である、請求項３８に記載の修正テープ・デバイス（１００）。
【請求項４４】
前記第３の曲げ角（２５１）は、７°〜１３°の範囲内である、請求項３８に記載の修正テープ・デバイス（１００）。
【請求項４５】
前記第４の曲げ角（２５２）は、５３°〜５９°の範囲内である、請求項３８に記載の修正テープ・デバイス（１００）。
【請求項４６】
前記第１の曲げリッジ（２６０１）は、前記第１の曲げリッジ（２６０１）の一方の端部が前記案内手段の一方の端部に装着された状態において、前記案内手段（２３０１）に対して垂直に配置される、請求項４０に記載のテープ・デバイス（１００）。
【請求項４７】
前記第２の曲げリッジ（２７０１）は、前記案内手段（２３０１）の一方の端部から前記本体（１１００）セクションまで外方に延在する、請求項４１に記載のテープ・デバイス（１００）。
【請求項４８】
前記貼付器ヘッド（８０）は、前記第１の垂直支持手段（２１０１）および前記第２の垂直支持手段（２２０１）の前方端部と後方端部との間に装着される少なくとも１つの水平支持手段（２８０１）を備える、請求項３８に記載の修正テープ・デバイス（１００）。
【請求項４９】
前記水平支持手段（２８０１）は、前記テープ（２０）を案内するための、前記水平支持手段（２８０１）の両端部において上方に延在する突出先端部を備える、請求項４８に記載の修正テープ・デバイス（１００）。
【請求項５０】
前記案内手段（２３０１）は、前記テープ（２０）を案内することを目的とした１対の突出側部先端部（２３１）および（２３２）を上部表面および下部表面に有する表面に向かってテーパ状となる、請求項３８に記載の修正テープ・デバイス（１００）。
【請求項５１】
前記水平支持手段（２８０１）は、組み立てられた場合に前記上部ケース（２６０）の内部に位置する、請求項４８に記載の修正テープ・デバイス（１００）。
【請求項５２】
前記上部ケース（２６０）の前方端部が、作動中に前記貼付器ヘッド（８０）に対して過度の押圧力が印加されるのを防止するために、前記貼付器ヘッド（８０）を部分的に覆う、請求項３８に記載のテープ・デバイス（１００）。
【手続補正２】
【補正対象書類名】明細書
【補正対象項目名】００５８
【補正方法】変更
【補正の内容】
【００５８】
図２〜図９を参照すると、上部ケース（２６０）および下部ケース（２７０）を備える本発明の水平型修正テープ・デバイス（１００）が図示される。下部ケース（２７０）は、ベース（１８０）を備える。上部ケース（２６０）および下部ケース（２７０）は、共に組み付けられることによりテープ・デバイス（１００）用の本体またはハウジングを形成するように適合される。
【手続補正３】
【補正対象書類名】明細書
【補正対象項目名】００５９
【補正方法】変更
【補正の内容】
【００５９】
図６の背面図を参照すると、有角後部（３５０）を備える下部ケース（２７０）が図示される。有角後部（３５０）は、図１０および図１５に図示するように、下部ケース（２７０）の後方部分が上方に引き起こされた部分である。有角後部（３５０）は、本修正テープ・デバイス（１００）のハウジングが、使用中にユーザの手のひらに適合するまたは載ることが可能となるように適合される。
【手続補正４】
【補正対象書類名】明細書
【補正対象項目名】００６０
【補正方法】変更
【補正の内容】
【００６０】
図９、図１０、図１３、図１４、図１８、図１９、および図２０を参照すると、修正テープ・デバイス（１００）は、テープ（２０）のストリップ、スプール部分（１３０）、供給スプール（４０）、巻き取りスプール（５０）、貼付器先端部（１２０）、およびスプール機構（７０）をさらに備える。
【手続補正５】
【補正対象書類名】明細書
【補正対象項目名】００６３
【補正方法】変更
【補正の内容】
【００６３】
さらに図９、図１０、図１３、図１４、図１８、図１９、および図２０を参照すると、スプール機構（７０）は、スプール・シャフト（３１０）と、スプール・シャフト（３１０）の上に回転自在に取り付けられたスプール・フレーム（２９０）とから構成される。
【手続補正６】
【補正対象書類名】明細書
【補正対象項目名】００６５
【補正方法】変更
【補正の内容】
【００６５】
次に図９、図１２、および図１７を参照すると、修正テープ・デバイス（１００）は、テープ案内機構（１０）をさらに備える。テープ案内機構（１０）は、テープ（２０）を案内し、テープの弛みを防止するように適合される。テープ案内機構（１０）は、以下においてさらに詳細に説明するように、貼付部分（６０）と、スリット（１１０）と、傾斜部（９０）とをさらに備える。
【手続補正７】
【補正対象書類名】明細書
【補正対象項目名】００６６
【補正方法】変更
【補正の内容】
【００６６】
次に図９および図１７を参照すると、貼付部分（６０）は、貼付器ヘッド（８０）を備える。図１５および図１９に示すように、貼付器先端部（１２０）は、貼付器ヘッド（８０）の第１の端部（８２）に配設される。貼付器先端部（１２０）は、スプール・シャフト（３１０）に対して実質的に垂直に構成される。
【手続補正８】
【補正対象書類名】明細書
【補正対象項目名】００６７
【補正方法】変更
【補正の内容】
【００６７】
図９〜図１１、および図１７を参照すると、貼付部分（６０）、スリット（１１０）、および傾斜部（９０）は、ベース（１８０）の上に形成される。図９および図１７を参照すると、貼付部分（６０）は、貼付器先端部（１２０）から始まり、ベース（１８０）が前方エッジ（４１０）にて下方に傾斜し始める位置にて終端し、傾斜部（９０）は、貼付部分（６０）の前方エッジ（４１０）から始まり、スプール部分（１３０）が始まる位置にて終端する。次に図１０、図１５、図１７、および図２０を参照すると、貼付部分（６０）は、実質的に単一平面（１４０）に位置を占める実質的に長尺の平坦形状で形成される。この単一平面（１４０）は、実質的に平坦であると共に薄い。単一平面（１４０）は、実質的に水平平面上に位置する。再度図１７を参照すると、単一平面（１４０）は、スプール・シャフト（３１０）に対して垂直に位置を定められる。次に図９、図１０、図１５、および図１７を参照すると、傾斜部（９０）は、貼付部分（６０）の前方エッジ（４１４）からスプール部分（１３０）の前方端部（４２０）まで下方に屈曲する。傾斜部（９０）は、図１７に図示するように、実質的に水平方向長さ（３４０）にわたって位置を占める。
【手続補正９】
【補正対象書類名】明細書
【補正対象項目名】００７２
【補正方法】変更
【補正の内容】
【００７２】
再度図９および図１７〜図２１を参照すると、テープ案内機構（１０）はさらに、テープ（２０）が、供給スプール（４０）から貼付部分（６０）まで、貼付部分（６０）に沿って貼付器先端部（１２０）の方向にまたは任意にはスリット（１１０）の方向に進み、任意にはスリット（１１０）を通過して、貼付器先端部（１２０）の周囲を周り、貼付部分（６０）に沿って巻き取りスプール（５０）の方向にまたは任意には傾斜部（９０）の方向に進み、任意には傾斜部（９０）の少なくとも一部分に沿って、巻き取りスプール（５０）に戻るように、案内するためのものである。テープ案内機構（１０）はさらに、テープ（２０）を案内して、テープ（２０）が供給スプール（４０）から貼付部分（６０）まで、単一平面上の貼付部分（６０）に沿って貼付器先端部（１２０）の方向にまたは任意にはスリット（１１０）の方向に進み、任意にはスリット（１１０）を通過して、貼付器先端部（１２０）の周囲を周り、単一平面（１４０）上の貼付部分（６０）に沿って巻き取りスプール（５０）の方向にまたは任意には傾斜部（９０）の方向に進み、任意には傾斜部（９０）の少なくとも一部分に沿って、巻き取りスプール（５０）へと戻るように、実質的にしっかりと張った態様で移動するのを可能にするように適合される。他のテープ（２０）移動シーケンスが、図２７に図示される。本発明においては、傾斜部（９０）、スリット（１１０）、機能部（１７１）および（１７３）（以下において説明するような）、これらの機能部の中の２つ、またはこれらの機能部の全てが、オプションの機能部となることが可能である。また、これらの機能部（６０）、（８０）、（９０）、（１１０）、（１７１）、および（１７３）の中の少なくとも２つ任意の組合せが、任意の他の機能部の少なくとも１つを任意に備えることも、可能である。
【手続補正１０】
【補正対象書類名】明細書
【補正対象項目名】００７９
【補正方法】変更
【補正の内容】
【００７９】
次に図９、図１８、図２１、および図２６を参照すると、貼付部分（６０）は、テープ案内部材（６１０）および（６２０）をさらに備える。さらに図１２、図１３、および図１６を参照すると、テープ案内部材（６１０）および（６２０）は、テープ案内溝（２４０）を形成する。図２１にさらに示すように、リブとしてのテープ案内部材（６１０）が図示される。図２６に示すように、案内壁（６２０）としてのテープ案内部材（６２０）が図示される。図９、図１２、図１３、図１８、図２１、および図２６を参照すると、テープ案内溝（２４０）は、貼付部分（６０）に沿ったテープ移動経路（４３０）に沿って形成される。また、テープ案内機構（２４０）は、貼付部分（６０）に沿って移動するテープ（２０）を案内するように適合される。テープ案内機構（１０）は、任意にはテープ案内部材（６１０）および（６２０）、テープ案内溝（２４０）を用いずに、その機能を果たすことが可能である。
【手続補正１１】
【補正対象書類名】明細書
【補正対象項目名】００８０
【補正方法】変更
【補正の内容】
【００８０】
次に図１７および図１８を参照すると、貼付部分（６０）は、実質的に所定の長さおよび所定の厚さである。傾斜部（９０）は、実質的に所定の第１の角度（４４０）にて下方に屈曲する。次に図９、図１５、図２１、および図２３を参照すると、傾斜部（９０）の前方エッジ（４１０）は、貼付部分（６０）上のテープ移動経路（４３０）の長手方向軸（４６０）から所定の第２の角度（４５０）を成す。傾斜部（９０）は、図１７に図示するように、実質的に所定の水平方向長さ（３４０）にわたって位置を占める。貼付部分（６０）の長さ、厚さ、および形状、ならびに傾斜部（９０）の第１の角度（４４０）、第２の角度（４５０）、および水平方向長さは、テープ（２０）が実質的に平坦かつしっかりと張った態様で単一平面（１４０）中において貼付部分（６０）の周囲を移動するように、実質的にスプールの方向にテープ（２０）を牽引するのに十分なものである。また、さらに図１７を参照すると、貼付部分（６０）は、テープ案内機構（１０）がテープ（２０）を案内し、テープの弛みを防止するのに実質的に十分な長さからなる。次に図１７を参照すると、単一平面（１４０）は実質的には、実質的に２．５×１０−２ｍ〜３．５×１０−２ｍの範囲内の長さ、および実質的に５．０×１０−４ｍ〜３．０×１０−３ｍの範囲内の厚さである。
【手続補正１２】
【補正対象書類名】明細書
【補正対象項目名】００８４
【補正方法】変更
【補正の内容】
【００８４】
図２８を参照すると、ベース（１８０）および貼付器または貼付器ヘッド（８０）は、組み合わされることにより、前記ベース（１８０）と前記貼付器ヘッド（８０）との間に修正テープ用の通路を与えるためのスリット（１１０）を有する単体を形成する。好ましくは、前記複数の連結部（１６）は、ベース（１８０）およびカバーすなわち上部ケース（２６０）と一体化されてロック手段を提供する。本発明においては好ましくはベースから上方に延在するシャフトを特徴とする、スプール・シャフト（３１０）としても知られる保持具は、修正テープ・スプールを受け、修正テープ・スプールは、巻き取りスプール（５０）および供給スプール（４０）を備える。
【手続補正１３】
【補正対象書類名】明細書
【補正対象項目名】００８５
【補正方法】変更
【補正の内容】
【００８５】
これらの主要要素の他に、修正テープ・ディスペンサは、不可逆的な動きを実現するラチェット（５１）をスプール・シャフト（３１０）の周囲に好ましくは有し、修正テープ・スプールと貼付器ヘッド（８０）の貼付器先端部（１２０）との間の位置合わせを実現するための案内手段を好ましくは有する。この案内手段は、修正テープ・スプールの案内された回転の動きを実現するためのラチェット（５１）の周囲のレール（１０１）、修正テープの位置合わせを実現するためにレール（１０１）から貼付器ヘッド（８０）の貼付器先端部（１２０）の方向に整列された垂直ガイドすなわち案内シャフト（１７０）、および修正テープを案内してスリット（１１０）を通って出るようにすることで、前記修正テープが貼付器先端部（１２０）の周囲に巻きつくことが可能となるようにするための、修正テープがベース（１８０）と貼付器ヘッド（８０）との間のスリット（１１０）に進入する前のスロープとして識別される水平ガイド（１０３）として記述される。
【手続補正１４】
【補正対象書類名】明細書
【補正対象項目名】００８６
【補正方法】変更
【補正の内容】
【００８６】
図２９を参照すると、本発明の上面図が図示され、この図面は、相互に効果的な作動関係に置かれた案内手段の方向および位置を明瞭に示す。先述のように、修正テープ・スプールへの回転の動きのガイドとしてのレール（１０１）は、供給スプール４０から配給された修正テープが、レール（１０１）の付近においてベース（１８０）から上方に延在する１対のシャフトを特徴とする案内シャフト（１７０）を通り案内され、スリット（１１０）を通るように修正テープを送る前に前記水平ガイド（１０３）の補助により直角に捩じられるように、整列される。次いで、表面上に修正テープを搬送した後に、空のテープが、貼付器ヘッド（８０）の先端部（１２０）の周囲に巻きつき、巻き取りスプール（５０）へと戻る。
【手続補正１５】
【補正対象書類名】明細書
【補正対象項目名】００８７
【補正方法】変更
【補正の内容】
【００８７】
図３０を参照すると、好ましい実施形態の側面図が図示される。この図は、修正テープ・スプールが逆方向に回転するのを防止するために、ラチェット（５１）に係合している巻き取りスプール（５０）を示す。また、修正テープが有効なストリップ張力で貼付器ヘッド（８０）を完全に包絡することを目的として、修正テープの起点となる供給スプール（４０）が、貼付器ヘッド（８０）の貼付器先端部（１２０）から協調的な長さおよび高さに位置決めされるのが図示される。
【手続補正１６】
【補正対象書類名】明細書
【補正対象項目名】００８８
【補正方法】変更
【補正の内容】
【００８８】
任意には貼付器ヘッド（８０）の貼付器先端部（１２０）にて少なくとも１．５ｋｇ〜最大で５ｋｇまでの押圧重に耐えることが可能となるように、好ましい実施形態を製造するために使用される材料は、ポリマー材料の任意の群、好ましくはポリプロピレンおよびポリアミドとなるように選択される。なぜならば、本発明の製造プロセスは、使用される材料の収縮値に多大な影響を及ぼす射出成形を利用して実施されるからである。しかし、この好ましい実施形態を製造するために、好ましくは４０００ｐｓｉ〜１２０００ｐｓｉの範囲の有効材料引張強度と、好ましくは本発明の十分な可撓性を実現する展性および弾性とを有する、他の非限定的な材料を使用することも可能である。貼付器先端部（１２０）に対して十分な可撓性を与えるために、任意には、貼付器ヘッド（８０）は、その貼付器先端部（１２０）にて少なくとも１．５ｋｇ〜最大で５ｋｇの押圧重に耐えることが可能である。勾配レベルを考慮に入れることによる任意の破損からの貼付器ヘッド（８０）の強度をさらに高めることに関連して、貼付器ヘッド（８０）の底部は、好ましくは、追加的な強度および支持をもたらすようにリブ補強される。
【手続補正１７】
【補正対象書類名】明細書
【補正対象項目名】００８９
【補正方法】変更
【補正の内容】
【００８９】
図３１を参照すると、貼付器先端部（１２０）、スプール・シャフト（３１０）、テープガイド、および垂直ガイドすなわち案内シャフト（１７０）を備える、リールからテープを配給するための修正デバイスの台座すなわちベース（１８０）は、単体として一体化されてもよく、またはベース（１８０）から分離可能なものであってもよい。先述の構成は、他の構成要素と共に修正デバイスの台座から分離可能な分配ヘッドを有する。貼付器先端部（１２０）は、使用中に貼付器先端部（１２０）に対して印加される押圧力に対して貼付器先端部（１２０）が対応することが可能となるように、可撓性であってもよい。
【手続補正１８】
【補正対象書類名】明細書
【補正対象項目名】００９１
【補正方法】変更
【補正の内容】
【００９１】
ベース（１８０）は、左右の利き手のユーザ向けの「成形」輪郭を成す表面輪郭部を有して設計される。貼付器先端部（１２０）とスプール・シャフト（３１０）との間に位置する湾曲部または傾斜部（９０）は、使用中にユーザが少なくとも指を載置するための箇所を与える造り付けの人間工学的機能部を提供する。さらに、これは、使用する指が好ましい保持に位置決めされるように案内して、修正デバイスの使用を快適なものにする。
【手続補正１９】
【補正対象書類名】明細書
【補正対象項目名】００９２
【補正方法】変更
【補正の内容】
【００９２】
先述のように、傾斜部（９０）の有効傾斜角度は、ベース（１８０）のベース・プラットフォームまたはスプール部分（１３０）の平面から３０度〜４８度の間であってもよい。
【手続補正２０】
【補正対象書類名】明細書
【補正対象項目名】００９３
【補正方法】変更
【補正の内容】
【００９３】
傾斜部（９０）が、高位プラットフォーム（３００）をもたらすことにより、供給スプール（４０）と巻き取りスプール（５０）との間の接触面は、貼付器先端部（１２０）と整列される。
【手続補正２１】
【補正対象書類名】明細書
【補正対象項目名】００９４
【補正方法】変更
【補正の内容】
【００９４】
図３２および図３３を参照すると、ベース（１８０）と同様に、上部ケース（２６０）は、左右の利き手のユーザ向けの「成形」輪郭部を成す表面輪郭部を有して形状設定される。この輪郭は、丸みエッジおよび湾曲状側部を有する比較的平坦な上部（２４００）を有する。平坦上部（２４００）は、親指を載置するためのプラットフォームを形成し、したがって快適な保持にとって好ましい位置へと親指を案内する。上部ケース（２６０）の形状は、左右の利き手のユーザの手に向いた保持握り部を与える。参照のために、湾曲状側部は、後方湾曲状セクション（２１００）、小湾曲状セクション（２２００）、および大湾曲状セクション（２３００）を備える複数のセクションへと分割され得る。これらのセクション（２１００、２２００、２３００）は、指を好ましい位置に案内する。
【手続補正２２】
【補正対象書類名】明細書
【補正対象項目名】００９５
【補正方法】変更
【補正の内容】
【００９５】
後方端部（４１４）としても知られるベース（１８０）の後部は、ベース（１８０）のベース・プラットフォームの平面から上方に角度を付けられて、ユーザの手を載置するための支持を与えてもよい。上部ケース（２６０）と組み合わされると、角度を付けられた後部（４１４）は、先鋭エッジに晒される状態を低減し、したがって安全かつ快適な握りを実現する。
【手続補正２３】
【補正対象書類名】明細書
【補正対象項目名】００９６
【補正方法】変更
【補正の内容】
【００９６】
親指が、平坦状部（２４００）の上に置かれることにより、人差し指は、後方湾曲状セクション（２１００）の周囲、および右手が利き手のユーザの場合には小湾曲状セクション（２２００）の周囲を覆うように、または左手が利き手のユーザの場合には大湾曲状セクション（２３００）の周囲を覆うように、自然に案内され得る。修正デバイスを支持する位置へと中指を案内するための平面Ａと平面Ｂとの間に位置する傾斜部（９０）と共に、ユーザは、修正テープ・デバイス（１００）を快適に保持する好ましい様式へと自然に案内される。
【手続補正２４】
【補正対象書類名】明細書
【補正対象項目名】００９７
【補正方法】変更
【補正の内容】
【００９７】
好ましい位置において修正デバイスを保持するようにユーザの手を案内するために修正テープ・デバイス（１００）を形状設定することにより、不適切な握りまたは保持が減少することによって、ユーザへの疲労、不快感、および傷害が軽減される。図３５は修正デバイスを使用中に保持するための例示的な配向を示す。
【手続補正２５】
【補正対象書類名】明細書
【補正対象項目名】００９９
【補正方法】変更
【補正の内容】
【００９９】
ベース（１８０）および上部ケース（２６０）は、ベース（１８０）が上部ケース（２６０）内に嵌め込まれることにより、分離ラインが修正デバイスの底部側に移動するように組み付けられる。
【手続補正２６】
【補正対象書類名】明細書
【補正対象項目名】０１００
【補正方法】変更
【補正の内容】
【０１００】
この組立により、ベース（１８０）は、上部ケース（２６０）からはみ出すことなく位置することが可能となる。分離ラインは、落下試験において不合格となるリスクを負う主要な要因の中の１つである。分離ラインを修正デバイスの底部へと移動させることにより、修正デバイスは、落下時の衝撃に対する反発性がより高くなり得る。この修正デバイスは、落下により容易にばらばらになることはない。さらに、図１〜図３および図５を参照すると、本発明の修正デバイスの構造は、落下時の衝撃に対する反発性がやはりより高いものである。この修正デバイスは、落下により容易にばらばらになることはない。特に、ベース（１８０）は、落下により上部ケース（２６０）から容易には分離されない。落下試験およびそれらの結果の例を以下に示す。
【手続補正２７】
【補正対象書類名】明細書
【補正対象項目名】０１０１
【補正方法】変更
【補正の内容】
【０１０１】
落下試験１（発明）
この落下試験は、図３１〜図３３に図示するような本発明の修正テープ・デバイス（１００）に対して行った。
１．０  文献の序説
本文献は、落下試験の実施方法について説明する。これには、試験設備、試験条件、および試験手順が含まれる。
【手続補正２８】
【補正対象書類名】明細書
【補正対象項目名】０１０９
【補正方法】変更
【補正の内容】
【０１０９】
次に、図３６、図３７、および図３８を参照して、紙の上の手書きおよびタイプライタによる書き損じを覆うために、また書類作成の手直しを行うために、不透明なマスキング接着層などの修正テープ（２０）を表面に対して貼付するための水平型修正テープ・デバイス（１００）の基本構造を説明する。
【手続補正２９】
【補正対象書類名】明細書
【補正対象項目名】０１１０
【補正方法】変更
【補正の内容】
【０１１０】
水平型修正テープ・デバイス（１００）は、修正テープ供給リールまたはスプール（４０）と、修正テープ巻き取りリールまたはスプール（５０）とを収容するためのハウジングを備える。ハウジングは、２つの部分、すなわち修正テープ供給リール（４０）および修正テープ巻き取りリール（５０）を収容するための本体またはハウジング（１１００）と、修正テープ供給リール（４０）および修正テープ巻き取りリール（５０）を覆うための、本体（１１００）の上に固定されるカバーまたは上部ケース（２６０）とに区分される。貼付器ヘッド（８０）が、修正テープ（２０）を案内するために、本体（１１００）の前方端部に装着される。貼付器ヘッド（８０）は、その製造の複雑性を低下させるために、単一平面に位置を占めるように設計される。換言すれば、貼付器ヘッド（８０）の主要な構成要素の殆どが、貼付器ヘッド（８０）と同一平面に水平に位置決めされ、したがって、前記貼付器ヘッド（８０）の作製に必要とされる型が、より少数になる。また、好ましくは、貼付器ヘッド（８０）は、本体（１１００）の前方端部に永続的に装着されるが、それに限定されない。
【手続補正３０】
【補正対象書類名】明細書
【補正対象項目名】０１１５
【補正方法】変更
【補正の内容】
【０１１５】
図３６および図４５を参照すると、水平支持手段（２８０１）は、上部ケース（２６０）の内部に位置することが好ましく、貼付器ヘッド（８０）は、上部ケース（２６０）により部分的に覆われる。この構成により、上部ケース（２６０）の前方端部は、貼付器ヘッド（８０）に対する保護を与え、この場合には、作動中に貼付器ヘッド（８０）に対して過度の押圧力が印加されるのを防止するために使用される。これらの実施形態においては、水平型修正テープ・デバイス（１００）は、構成要素の個数を削減し、構成要素の製造の複雑性を軽減することが可能であり、１つの型を使用することにより貼付器ヘッドおよび本体を製造することが可能となる。また、水平型修正テープ・ディスペンサ（１００）は、所要の構造強度を維持し、より高い可撓性を実現することが可能であり、（上述のように）貼付器ヘッド（８０）に対して作用する最低１．５ｋｇ〜最大５ｋｇの押圧重に対して実質的に耐えることが可能となる。また、貼付器ヘッド（８０）は、好ましくはポリプロピレンまたはポリアミドから作製されるが、それらに限定されない。ポリプロピレンおよびポリアミドの技術データの概要を、以下の表において示す。
【手続補正３１】
【補正対象書類名】明細書
【補正対象項目名】０１１７
【補正方法】変更
【補正の内容】
【０１１７】
本発明の例として上記において説明したものの概要は、本体（２０）と、上部ケース（２６０）と、貼付器ヘッド（８０）とを備える、表面に対して修正テープ（２０）を貼付するための水平型修正テープ・デバイス（１００）であって、貼付器ヘッド（８０）が、第１の垂直支持手段（２１０１）と、第２の垂直支持手段（２２０１）と、第１の垂直支持手段（２１０１）と第２の垂直支持手段（２２０１）との間に装着された少なくとも１つの水平支持手段（２８０１）とを備えることを特徴とする、水平型修正テープ・ディスペンサ（１００）となる。
【国際調査報告】
2013544668.tif 000053
2013544668.tif 000054
2013544668.tif 000055
2013544668.tif 000056